(57)【特許請求の範囲】
【請求項１】
非連続伸縮性糸（５１０、５１１）を有する伸縮性ウェブ（１４０）を製造するための方法であって、
ａ．  第１のウェブ（２００）を用意するステップであり、前記第１のウェブ（２００）は、流れ方向（ＭＤ）に一次伸張範囲を有し、第１の面（２０１）および第２の面（２０２）ならびに第１の縁部（２０３）および第２の縁部（２０４）を有し、前記第１の縁部（２０３）および前記第２の縁部（２０４）は、前記流れ方向（ＭＤ）に延在する、ステップと、
ｂ．  第２のウェブ（３００）を用意するステップであり、前記第２のウェブ（３００）も、前記流れ方向（ＭＤ）に一次伸張範囲を有し、第１の面（３０１）および第２の面（３０２）ならびに第１の縁部（３０３）および第２の縁部（３０４）を有し、前記第１の縁部（３０３）および前記第２の縁部（３０４）は、前記流れ方向（ＭＤ）に延在する、ステップと、
ｃ．  第３のウェブ（７００）を用意するステップであり、前記第３のウェブ（７００）は、前記流れ方向（ＭＤ）に一次伸張範囲を有し、第１の面（７０１）および第２の面（７０２）ならびに第１の縁部（７０３）および第２の縁部（７０４）を有し、前記第１の縁部（７０３）および前記第２の縁部（７０４）は、前記流れ方向（ＭＤ）に延在する、ステップと、
ｄ．  前記第１のウェブ（２００）および前記第３のウェブ（７００）のそれぞれの前記第１の縁部（２０３、７０３）が隣接し合うように、前記ウェブ（２００、７００）の前記第１の面（２０１、７０１）が同一方向に向くような離間配置構成で、前記第１のウェブ（２００）に隣接しておよび前記第１のウェブ（２００）と実質的に平行に位置するように、前記第３のウェブ（７００）を配置するステップと、
ｅ．  前記第１のウェブ（２００）の前記第１の面（２０１）の少なくとも一部分に、または前記第２のウェブ（３００）の前記第１の面（３０１）の少なくとも一部分に、第１の接着剤（２５０）を塗布するステップと、
ｆ．  前記第３のウェブ（７００）の前記第１の面（７０１）の少なくとも一部分に、または前記第２のウェブ（３００）の前記第１の面（３０１）の少なくとも一部分に、第２の接着剤（２６０）を塗布するステップと、
ｇ．  前記第１のウェブ（２００）の前記第１の面（２０１）の少なくとも前記第１の接着剤（２５０）を備える部分の上に、または前記第２のウェブ（３００）の前記第１の面（３０１）の少なくとも前記第１の接着剤（２５０）を備える部分の上に、少なくとも１つの第１の伸張性糸（５００）を適用するステップであり、前記少なくとも１つの第１の糸（５００）は、第１のパターン（Ｐ１）で適用され、前記第１のパターン（Ｐ１）は、前記交差方向（ＣＤ）に蛇行し、前記流れ方向（ＭＤ）に延在する、ステップと、
ｈ．  前記第３のウェブ（７００）の前記第１の面（７０１）の少なくとも前記第２の接着剤（２６０）を備える部分の上に、または前記第２のウェブ（３００）の前記第１の面（３０１）の少なくとも前記第２の接着剤（２６０）を備える部分の上に、少なくとも１つの第２の伸縮性糸（５０２）を適用するステップであり、前記少なくとも１つの第２の伸縮性糸（５０２）は、第２のパターン（Ｐ２）で適用され、前記第２のパターン（Ｐ２）は、前記交差方向（ＣＤ）に蛇行し、前記流れ方向（ＭＤ）に延在する、ステップと、
ｉ．  前記第１のウェブ（２００）の前記第１の面（２０１）の上に前記第２のウェブ（３００）の前記第１の面（３０１）の一部分を適用し、前記少なくとも１つの第１の伸縮性糸（５００）が前記第１のウェブ（２００）および前記第２のウェブ（３００）のそれぞれの前記第１の面（２０１、３０１）間に部分的に挟まれるように、および前記第１のパターン（Ｐ１）が前記第１のウェブ（２００）の前記第１の縁部（２０３）を越えて延在して、前記第１のウェブ（２００）の前記第１の縁部（２０３）から前記交差方向（ＣＤ）に突出する前記第１の伸縮性糸（５００）の第１のループ（５０１）を形成するように、前記第１のウェブ（２００）および前記第２のウェブ（３００）を一体的に固定するステップと、
ｊ．  前記第３のウェブ（７００）の前記第１の面（７０１）の上に前記第２のウェブ（３００）の前記第１の面（３０１）の一部分を適用し、前記少なくとも１つの第２の伸縮性糸（５０２）が前記第２のウェブ（３００）および前記第３のウェブ（７００）のそれぞれの前記第１の面（３０１、７０１）間に部分的に挟まれるように、前記第２のパターン（Ｐ２）が前記第３のウェブ（７００）の前記第１の縁部（７０３）を越えて延在して、前記第３のウェブ（７００）の前記第１の縁部（７０３）から前記交差方向（ＣＤ）に突出する前記第２の伸縮性糸（５０２）の第２のループ（５０３）を形成するように、および、前記第１の伸縮性糸（５００）が前記第１のウェブ（２００）の前記第１の縁部（２０３）から最も遠くに位置する前記流れ方向（ＭＤ）上のポイントが、前記第２の伸縮性糸（５０２）が前記第３のウェブ（７００）の前記第１の縁部（７０３）から最も遠くに位置する前記流れ方向（ＭＤ）上のポイントに実質的に一致するように、前記第１のパターン（Ｐ１）および前記第２のパターン（Ｐ２）が同期されるように、前記第３のウェブ（７００）および前記第２のウェブ（３００）を一体的に固定するステップと、
ｋ．  少なくとも１つの弾性ベルト（４０１）および少なくとも１つのアンビル（６２０）を備える第１のループ保持手段（４１０）内に前記第１の伸縮性糸（５００）の前記第１のループ（５０１）を固定するステップであり、前記ループ保持手段（４１０）は、前記第１のウェブ（２００）の前記第１の縁部（２０３）に隣接して配置される、ステップと、
ｌ．  少なくとも１つの弾性ベルト（４０３）および少なくとも１つのアンビル（６２０）を備える第２のループ保持手段（４１１）内に前記第２の伸縮性糸（５０２）の前記第２のループ（５０３）を固定するステップであり、前記第２のループ保持手段（４１０）は、前記第３のウェブ（７００）の前記第１の縁部（７０３）に隣接して配置される、ステップと、
ｍ．  前記ループ（５０１）が前記第１のウェブ（２００）から除去された状態になるように、各第１の伸縮性糸（５００）が前記第１のウェブ（２００）の前記第１の縁部（２０３）と交差するポイントにて実質的に全ての前記第１の伸縮性糸（５００）を切断するステップと、
ｎ．  前記ループ（５０３）が前記第３のウェブ（７００）から除去された状態になるように、各第２の伸縮性糸（５０２）が前記第３のウェブ（７００）の前記第１の縁部（７０３）と交差するポイントにて実質的に全ての前記第２の伸縮性糸（５０２）を切断するステップとを含み、
前記ステップｄ．は、非連続伸縮性糸（５１０、５１１）を有する伸縮性ウェブ（１４０）を作製するために、前記ステップｉ．の前の、前記方法の任意の時点にて実施され得る、方法。
【請求項２】
前記方法の前記ステップｇ．〜ｊ．は、単一のニップ（４００）内において実質的に同時に行われる、請求項１に記載の方法。
【請求項３】
前記第１のループ保持手段（４１０）の前記弾性ベルト（４０１）および前記第２のループ保持手段（４１１）の前記弾性ベルト（４０３）は、単一の幅広弾性ベルトから構成される、請求項１または２のいずれか一項に記載の方法。
【請求項４】
前記第１のループ保持手段（４１０）は、前記第１のウェブ（２００）の前記第１の縁部（２０３）に隣接して配置される少なくとも１つの第１の弾性ベルト（４０１）および少なくとも１つの第２の弾性ベルト（４０２）を備え、および／または、前記第２のループ保持手段（４１１）は、前記第３のウェブ（７００）の前記第１の縁部（７０３）に隣接して配置される少なくとも１つの第３の弾性ベルト（４０３）および少なくとも１つの第４の弾性ベルト（４０４）を備える、請求項１または２のいずれか一項に記載の方法。
【請求項５】
単一の幅広弾性ベルトが、前記第３の弾性ベルト（４０３）および前記第１の弾性ベルト（４０１）を含み、単一の幅広弾性ベルトが、前記第４の弾性ベルト（４０４）および前記第２の弾性ベルト（４０２）を含む、請求項４に記載の方法。
【請求項６】
前記少なくとも１つのアンビル（６２０）は、中心シリンダ（６２０）である、請求項１から５のいずれか一項に記載の方法。
【請求項７】
パンツ式製品（２０）を製造するための方法であって、
ａ．  請求項１〜５のいずれか一項による前記方法を実施して、非連続伸縮性糸（５１０、５１１）を有する伸縮性ウェブ（１４０）を作製するステップであり、少なくとも１つの第１の非連続伸縮性糸（５１０）が、前記第１のウェブ（２００）および前記第２のウェブ（３００）のそれぞれの前記第１の面（２０１、３０１）間に挟まれ、少なくとも１つの第２の非連続伸縮性糸（５１１）が、前記第３のウェブ（７００）および前記第２のウェブ（３００）のそれぞれの前記第１の面（７０１、３０１）間に挟まれる、ステップと、
ｂ．前記第１のウェブ（２００）および前記第３のウェブ（７００）の非連続伸縮性糸（５１０、５１１）間に実質的に画定される前記伸縮性ウェブ（１４０）の脚部領域（１２２）を切除して、脚部用開口（１２１）を形成するステップと、
ｃ．  前記伸縮性ウェブ（１４０）の第１の縁部（１４３）および第２の縁部（１４４）が、互いに実質的に隣接し合い、実質的に平行に配置された状態になるように、折り畳み線（Ｆ）に沿って前記伸縮性ウェブ（１４０）を折り畳むステップと、
ｄ．  線（Ｃ）に沿って前記折り畳まれた伸縮性ウェブ（１４０）を接合するステップであって、前記線（Ｃ）は、前記伸縮性ウェブ（１４０）の前記第１の縁部（１４３）および前記第２の縁部（１４４）から前記折り畳み線（Ｆ）まで実質的に前記交差方向（ＣＤ）に延在し、前記線（Ｃ）は、実質的に前記非連続伸縮性糸（５１０、５１１）が前記折り畳み線（Ｆ）から最も遠くに位置するポイントに配置され、サイドシーム（１３１）を形成するステップと、
ｅ．  前記伸縮性ウェブ（１４０）が前記切断部の両側で接合された状態に留まるように、線（Ｃ）に沿って前記伸縮性ウェブ（１４０）を切断するステップとを含み、
前記ステップｂ．およびｃ．は、任意の順序で実施することが可能であり、それによりパンツ式製品（２０）が作製される、方法。
【請求項８】
前記第１のウェブ（２００）、前記第２のウェブ（３００）、および／または前記第３のウェブ（７００）の少なくとも一部分上に載置するように吸収性パケット（１３０）を配置し、前記ステップａ．の後に、しかし前記ステップｃ．の前に、前記第１のウェブ（２００）、前記第２のウェブ（３００）、および／または前記第３のウェブ（７００）の中の少なくとも１つに前記吸収性パケット（１３０）を固定する追加ステップを含む、請求項６に記載の方法。
【請求項９】
吸収性製品（１０）を製造するための方法であって、
ａ．  請求項１〜５のいずれか一項による前記方法を実施して、非連続伸縮性糸（５１０、５１１）を有する伸縮性ウェブ（１４０）を作製するステップであり、少なくとも１つの第１の非連続伸縮性糸（５１０）が、前記第１のウェブ（２００）および前記第２のウェブ（３００）のそれぞれの前記第１の面（２０１、３０１）間に挟まれ、少なくとも１つの第２の非連続伸縮性糸（５１１）が、前記第３のウェブ（７００）および前記第２のウェブ（３００）のそれぞれの前記第１の面（７０１、３０１）間に挟まれる、ステップと、
ｂ．  前記第１のウェブ（２００）、前記第２のウェブ（３００）、および／または前記第３のウェブ（７００）の少なくとも一部分上に載置するように吸収性パケット（１３０）を配置し、前記第１のウェブ（２００）、前記第２のウェブ（３００）、および／または前記第３のウェブ（７００）の中の少なくとも１つに前記吸収性パケット（１３０）を固定するステップと、
ｃ．前記第１のウェブ（２００）および前記第３のウェブ（７００）の非連続伸縮性糸（５１０、５１１）間に実質的に画定される前記伸縮性ウェブ（１４０）の領域を切除して、脚部用開口（１２１）を形成するステップと、
ｄ．  前記伸縮性ウェブ（１４０）の上に固定手段（１３２）を設けるステップと、
ｅ．  線（Ｃ）に沿って前記伸縮性ウェブ（１４０）を切断するステップであり、前記線（Ｃ）は、前記伸縮性ウェブ（１４０）の前記第１の縁部（１４３）から前記第２の縁部（１４４）まで実質的に前記交差方向（ＣＤ）に延在し、前記線（Ｃ）は、前記非連続伸縮性糸（５１０、５１１）が前記第１のウェブ（２００）および前記第３のウェブ（７００）の前記第１の縁部（２０３、７０３）から最も遠くに位置するポイントに実質的に配置される、ステップとを含み、それにより吸収性製品（１０）を作製する、方法。
【請求項１０】
請求項１から５のいずれか一項に記載の前記方法を実施するための装置（６００）であって、
前記第１のウェブ（２００）を供給するための第１のウェブ供給手段（６０１）と、
前記第２のウェブ（３００）を供給するための第２のウェブ供給手段（６０２）と、
前記第３のウェブ（７００）を供給するための第３のウェブ供給手段（６０７）と、
前記少なくとも１つの第１の伸縮性糸（５００）を供給するための第１の伸縮性糸供給手段（６１０）と、
前記少なくとも１つの第２の伸縮性糸（５０２）を供給するための第２の伸縮性糸供給手段（６１１）と、
前記第１の接着剤（２５０）を供給するための第１の接着剤供給手段（６１２）と、
前記第２の接着剤（２６０）を供給するための第２の接着剤供給手段（６１３）と、
前記第１の伸縮性糸（５００）および前記第２の伸縮性糸（５０２）を切断するための切断手段（６０５、６０５’）とを備え、
前記第１の接着剤供給手段（６１２）は、前記第１のウェブ（２００）の前記第１の面（２０１）の少なくとも一部分に、または前記第２のウェブ（３００）の前記第１の面（３０１）の少なくとも一部分に、第１の接着剤（２５０）を塗布するように、配置され、
前記第１の伸縮性糸供給手段（６１０）は、前記第１のウェブ（２００）の前記第１の面（２０１）の少なくとも前記第１の接着剤（２５０）を備える部分の上に、または前記第２のウェブ（３００）の前記第１の面（３０１）の少なくとも前記第１の接着剤（２５０）を備える部分の上に、少なくとも１つの第１の伸縮性糸（５００）を適用するように配置され、前記少なくとも１つの第１の伸縮性糸（５００）は、第１のパターン（Ｐ１）で適用され、前記第１のパターン（Ｐ１）は、前記交差方向（ＣＤ）に蛇行し、前記流れ方向（ＭＤ）に延在し、
前記第２の接着剤供給手段（６１３）は、前記第３のウェブ（７００）の前記第１の面（７０１）の少なくとも一部分に、または前記第２のウェブ（３００）の前記第１の面（３０１）の少なくとも一部分に、第２の接着剤（２６０）を塗布するように、配置され、
前記第２の伸縮性糸供給手段（６１１）は、前記第３のウェブ（７００）の前記第１の面（７０１）の少なくとも前記第２の接着剤（２６０）を備える部分の上に、または前記第２のウェブ（３００）の前記第１の面（３０１）の少なくとも前記第２の接着剤（２６０）を備える部分の上に、少なくとも１つの第２の伸縮性糸（５０２）を適用するように配置され、前記少なくとも１つの第２の伸縮性糸（５０２）は、第２のパターン（Ｐ２）で適用され、前記第２のパターン（Ｐ２）は、前記交差方向（ＣＤ）に蛇行し、前記流れ方向（ＭＤ）に延在し、
前記第２のウェブ供給手段（６０２）は、前記第２のウェブ（２００）の前記第１の面（２０１）および前記第３のウェブ（７００）の前記第１の面（７０１）の上に前記第２のウェブ（３００）の前記第１の面（３０１）を適用し、前記少なくとも１つの第１の伸縮性糸（５００）が前記第１のウェブ（２００）および前記第２のウェブ（３００）のそれぞれの前記第１の面（２０１、３０１）間に部分的に挟まれ、前記少なくとも１つの第２の伸縮性糸（５０２）が前記第３のウェブ（７００）および前記第２のウェブ（３００）のそれぞれの前記第１の面（７０１、３０１）間に部分的に挟まれるように、前記第１のパターン（Ｐ１）が前記第１のウェブ（２００）の前記第１の縁部（２０３）を越えて延在して、前記第１のウェブ（２００）の前記第１の縁部（２０３）から前記交差方向（ＣＤ）に突出する前記第１の伸縮性糸（５００）の第１のループ（５０１）を形成するように、前記第２のパターン（Ｐ２）が前記第３のウェブ（７００）の前記第１の縁部（７０３）を越えて、前記第３のウェブ（７００）の前記第１の縁部（７０３）から前記交差方向（ＣＤ）に突出する前記第２の伸縮性糸（５０２）の第２のループ（５０３）を形成するように、および、前記第１の伸縮性糸（５００）が前記第１のウェブ（２００）の前記第１の縁部（２０３）から最も遠くに位置する前記流れ方向（ＭＤ）上のポイントが、前記第２の伸縮性糸（５０２）が前記第３のウェブ（７００）の前記第１の縁部（７０３）から最も遠くに位置する前記流れ方向（ＭＤ）上のポイントに実質的に一致するように、前記第１のパターン（Ｐ１）および前記第２のパターン（Ｐ２）が同期されるように、前記第１のウェブ（２００）および前記第２のウェブ（３００）を一体的に、ならびに前記第３のウェブ（７００）および前記第２のウェブ（３００）を一体的に固定するように配置され、
前記切断手段（６０５、６０５’）は、前記第１のループ（５０１）が前記第１のウェブ（２００）から除去された状態になるように、実質的に各第１の伸縮性糸（５００）が前記第１のウェブ（２００）の前記第１の縁部（２０３）に交差するポイントにて全ての伸縮性糸（５００）を切断するように、および、前記第２のループ（５０３）が前記第３のウェブ（７００）から除去された状態になるように、実質的に各第２の伸縮性糸（５０２）が前記第３のウェブ（７００）の前記第１の縁部（７０１）に交差するポイントにて全ての伸縮性糸（５０２）を切断するように、配置される、装置（６００）において、
前記装置（６００）は、少なくとも１つの弾性ベルト（４０１）および少なくとも１つのアンビル（６２０）を備える第１のループ保持手段（４１０）を備え、前記第１のループ保持手段（４１０）は、前記第１のウェブ（２００）の前記第１の縁部（２０３）に隣接して配置され、前記第１のループ保持手段（４１０）内に前記第１のループ（５０１）を固定するように構成され、
第２のループ保持手段（４１１）が、少なくとも１つの弾性ベルト（４０３）および少なくとも１つのアンビル（６２０）を備え、前記ループ保持手段（４１０）は、前記第３のウェブ（７００）の前記第１の縁部（７０３）に隣接して配置され、前記第２のループ保持手段（４１１）内に前記第２のループ（５０３）を固定するように構成されることを特徴とする、装置（６００）。
【請求項１１】
前記第１のウェブ（２００）、前記第２のウェブ（３００）、および前記第３のウェブ（７００）は、単一のニップ（４００、４００’）内において一体的に固定される、請求項１０に記載の装置（６００）。
【請求項１２】
前記第１のループ保持手段（４１０）は、前記第１のウェブ（２００）の前記第１の縁部（２０３）に隣接して配置された、少なくとも１つの第１の弾性ベルト（４０１）および少なくとも１つの第２の弾性ベルト（４０２）を備え、前記少なくとも１つの第１の弾性ベルト（４０１）および前記少なくとも１つの第２の弾性ベルト（４０２）は、前記少なくとも１つの第１の弾性ベルト（４０１）と前記少なくとも１つの第２の弾性ベルト（４０２）との間のニップ（４００）内に前記第１の伸縮性糸（５００）の前記第１のループ（５０１）を固定するように構成され、および／または、前記第２のループ保持手段（４１１）は、前記第３のウェブ（７００）の前記第１の縁部（７０３）に隣接して配置された、少なくとも１つの第３の弾性ベルト（４０３）および少なくとも１つの第４の弾性ベルト（４０４）を備え、前記少なくとも１つの第３の弾性ベルト（４０３）および前記少なくとも１つの第４の弾性ベルト（４０４）は、前記少なくとも１つの第３の弾性ベルト（４０３）と前記少なくとも１つの第４の弾性ベルト（４０４）との間のニップ（４００’）内に前記第２の伸縮性糸（５０２）の前記第２のループ（５０３）を固定するように構成される、請求項１０から１１のいずれか一項に記載の装置（６００）。
【請求項１３】
単一の幅広弾性ベルトが、前記第３の弾性ベルト（４０３）および前記第１の弾性ベルト（４０１）を含み、単一の幅広弾性ベルトが、前記第４の弾性ベルト（４０４）および前記第２の弾性ベルト（４０２）を含む、請求項１２に記載の装置（６００）。
【請求項１４】
前記第１のウェブ（２００）を供給するための第１のウェブ供給手段（６０１）、
前記第２のウェブ（３００）を供給するための第２のウェブ供給手段（６０２）、
前記第３のウェブ（７００）を供給するための第３のウェブ供給手段（６０７）、
前記少なくとも１つの第１の伸縮性糸（５００）を供給するための第１の伸縮性糸供給手段（６１０）、
前記少なくとも１つの第２の伸縮性糸（５０２）を供給するための第２の伸縮性糸供給手段（６１１）、
前記第１の接着剤（２５０）を供給するための第１の接着剤供給手段（６１２）、
前記第２の接着剤（２６０）を供給するための第２の接着剤供給手段（６１３）、
前記第１の伸縮性糸（５００）および前記第２の伸縮性糸（５０２）を切断するための切断手段（６０５、６０５’）、ならびに
第１のループ保持手段（４１０）および第２のループ保持手段（４１１）、が、単一の中心シリンダ（６２０）を中心として周囲に配置される、請求項１０から１３のいずれか一項に記載の装置（６００）。
【請求項１５】
請求項６から７に記載の前記方法を実施するための、請求項１０から１４のいずれか一項に記載の装置（６００）であって、
前記伸縮性ウェブ（１４０）を供給するための伸縮性ウェブ供給手段（６２１）と、
必要に応じて、吸収性パケット（１３０）を供給するための吸収性パケット供給手段（６２２）と、
脚部領域（１２２）を切除するための脚部領域切断手段（６２３）と、
伸縮性ウェブ（１４０）を折り畳むための折り畳み手段（６２８）と、
伸縮性ウェブ（１４０）を接合するための接合手段（６２６）と、
伸縮性ウェブ（１４０）を切断するための伸縮性ウェブ切断手段（６２５）と、をさらに備え、
ａ．  前記伸縮性ウェブ供給手段（６２１）は、非連続伸縮性糸（５１０、５１１）を有する伸縮性ウェブ（１４０）を供給するように配置され、少なくとも１つの第１の非連続伸縮性糸（５１０）が、前記第１のウェブ（２００）および前記第２のウェブ（３００）のそれぞれの前記第１の面（２０１、３０１）間に挟まれ、少なくとも１つの第２の非連続伸縮性糸（５１１）が、前記第３のウェブ（７００）および前記第２のウェブ（３００）のそれぞれの前記第１の面（７０１、３０１）間に挟まれ、
ｂ．  前記吸収性パケット供給手段（６２２）は、前記第１のウェブ（２００）、前記第２のウェブ（３００）、および／または前記第３のウェブ（７００）の少なくとも一部分上に載置するように吸収性パケット（１３０）を配置し、前記第１のウェブ（２００）、前記第２のウェブ（３００）、および／または前記第３のウェブ（７００）の中の少なくとも１つに前記吸収性パケット（１３０）を固定するように、配置され、
ｃ．  前記脚部領域切断手段（６２３）は、前記第１のウェブ（２００）および前記第３のウェブ（７００）の非連続伸縮性糸（５１０、５１１）間に実質的に画定される前記伸縮性ウェブ（１４０）の領域を切除して、脚部用開口（１２１）を形成するように配置され、
ｄ．  前記折り畳み手段（６２８）は、前記伸縮性ウェブ（１４０）の前記第１の縁部（１４３）および前記第２の縁部（１４４）が、互いに実質的に隣接し合い、実質的に平行となるように配置されるように、折り畳み線（Ｆ）に沿って前記伸縮性ウェブ（１４０）を折り畳むために配置され、
ｅ．  前記接合手段（６２６）は、線（Ｃ）に沿って前記折り畳まれた伸縮性ウェブ（１４０）を接合するように配置され、前記線（Ｃ）は、前記伸縮性ウェブ（１４０）の前記第１の縁部（１４３）および前記第２のウェブ（１４４）から前記折り畳み線（Ｆ）まで実質的に前記交差方向（ＣＤ）に延在し、前記線（Ｃ）は、前記非連続伸縮性糸（５１０、５１１）が前記折り畳み線（Ｆ）から最も遠くに位置することとなるポイントに実質的に位置し、それによりサイドシーム（１３１）が形成され、
ｆ．  前記伸縮性ウェブ切断手段（６２５）は、前記伸縮性ウェブ（１４０）が前記切断部の両側で接合された状態に留まるように、線（Ｃ）に沿って前記伸縮性ウェブ（１４０）を切断するために配置される、装置（６００）。
【請求項１６】
請求項８に記載の前記方法を実施するための、請求項１０から１４に記載のいずれか一項による装置（６００）であって、
前記伸縮性ウェブ（１４０）を供給するための伸縮性ウェブ供給手段（６２１）と、
吸収性パケット（１３０）を供給するための吸収性パケット供給手段（６２２）と、
脚部領域（６２４）を切除するための脚部領域切断手段（６２３）と、
伸縮性ウェブ（１４０）を切断するための伸縮性ウェブ切断手段（６２５）と、
固定手段（１３２）を供給するための固定供給手段（６２７）とをさらに備え、
ａ．  前記伸縮性ウェブ供給手段（６２１）は、非連続伸縮性糸（５１０、５１１）を有する伸縮性ウェブ（１４０）を供給するように配置され、少なくとも１つの第１の非連続伸縮性糸（５１０）が、前記第１のウェブ（２００）および前記第２のウェブ（３００）のそれぞれの前記第１の面（２０１、３０１）間に挟まれ、少なくとも１つの第２の非連続伸縮性糸（５１１）が、前記第３のウェブ（７００）および前記第２のウェブ（３００）のそれぞれの前記第１の面（７０１、３０１）間に挟まれ、
ｂ．  前記吸収性パケット供給手段（６２２）は、前記第１のウェブ（２００）、前記第２のウェブ（３００）、および／または前記第３のウェブ（７００）の少なくとも一部分上に載置するように吸収性パケット（１３０）を配置し、前記第１のウェブ（２００）、前記第２のウェブ（３００）、および前記第３のウェブ（７００）の中の少なくとも１つに前記吸収性パケット（１３０）を固定するように、配置され、
ｃ．  前記脚部領域切断手段（６２３）は、前記第１のウェブ（２００）および前記第３のウェブ（７００）の非連続伸縮性糸（５１０、５１１）間に実質的に画定される前記伸縮性ウェブ（１４０）の領域を切除して、脚部用開口（１２１）を形成するように配置され、
ｄ．  前記固定供給手段（６２７）は、前記伸縮性ウェブ（１４０）の上に固定手段（１３２）を設けるように配置され、
ｅ．  前記伸縮性ウェブ切断手段（６２５）は、線（Ｃ）に沿って前記伸縮性ウェブ（１４０）を切断するために配置され、前記線（Ｃ）は、前記伸縮性ウェブ（１４０）の前記第１の縁部（１４３）から前記第２の縁部（１４４）まで実質的に前記交差方向（ＣＤ）に延在し、前記線（Ｃ）は、前記非連続伸縮性糸（５１０、５１１）が前記第１のウェブ（２００）および前記第３のウェブ（７００）の前記第１の縁部（２０３、７０３）から最も遠くに離れて位置するポイントに実質的に位置する、装置（６００）。
【請求項１７】
前記少なくとも１つのアンビル（６２０）は、中心シリンダ（６２０）である、請求項１０から１６のいずれか一項に記載の装置（６００）。
【発明の詳細な説明】
【技術分野】
【０００１】
本発明は、伸縮性ウェブを製造するための方法に関する。さらに、本発明は、前記伸縮性ウェブを形成するための装置に関する。さらに、本発明は、吸収性製品を製造するための方法に関する。さらに、本発明は、本発明の方法を利用して製造することの可能な伸縮性ウェブおよび吸収性製品を提示する。
【背景技術】
【０００２】
おむつまたは失禁ガードなどの吸収性製品は、身体に隣接して着用され、尿、血液、糞便、および汗などの身体滲出物を収容および吸収するために使用される製品である。そのような製品は、通常は、（一般的には１つまたは複数の伸縮性糸の形態の）伸縮性部材と共に供給される。製造上の効率および経済性のために、これらの伸縮性部材は、脚部用開口、腰部用開口、立体ギャザー等々の、製品の選択された領域に配置される。伸縮性部材は、とりわけ着用者に対して定位置に製品を保つのを助ける、適切な３次元形態を有する製品を実現する、および着用者の皮膚に対して製品の複数部分をシールするのを助ける、それらによって漏出の危険を低減させる、といった複数の機能を有する。
【０００３】
吸収性製品は、高速で大量に製造される。したがって、製造の際に吸収性製品の他の構成要素の中または他の構成要素上に（例えば１つまたは複数の伸縮性糸の形態の）伸縮性部材を組み込むことが可能な方法が必要となる。伸縮性部材は、通常は、吸収性製品の複数の領域にのみ配置されるが、多くの場合には（例えばロールでなど）連続的な形態で供給されるため、伸縮性部材を切断する１つまたは複数のステップが通常必要となる。さらに、これにより、伸縮性部材において正確な張力を維持することが困難となり、伸縮性構成要素の伸縮性構成要素のクランプリング（ｃｒｕｍｐｌｉｎｇ）、短縮化、またはしわ寄りが引き起こされる場合がある。
【０００４】
吸収性製品の股部分、すなわちこの製品を着用した場合に着用者の脚部同士の間に位置する部分に位置する伸縮性部材に関して、特定の問題が見受けられる。伸縮性部材がこの敏感な部分において摩擦／こすれを生じさせる恐れがあるので、伸縮性部材が股部分に位置することは、一般的には望ましくない。さらに、吸収性芯材にわたって配置される伸縮性部材は、この芯材を変形させる可能性がある。さらに、これにより、外観（束状化による）および液体処理（吸収性芯材の望ましくない圧縮により液体チャネリング（ｌｉｑｕｉｄ−ｃｈａｎｎｅｌｌｉｎｇ）に折り目が生ずることによる）に関する問題が発生する。
【０００５】
米国特許第５，６６０，６５７号および米国特許第５，６４３，３９６号は、伸張された弾性部を含む衣類を構成するための方法を開示している。米国特許第４，３７９，０１６号は、ウェブ材料上に分割された伸縮性ストリップを適用するための方法およびデバイスを説明している。米国特許第６，１７９，９４６号は、複合シートを作製するためのプロセスを説明している。米国特許第６，４８２，２７８号および米国特許第６，５２１，３２０号は、パンツ式おむつおよびその製造方法を開示している。ＷＯ９７／００６５４は、ウェブに伸縮性糸を適用するための装置および方法を開示している。
【先行技術文献】
【特許文献】
【０００６】
【特許文献１】米国特許第５，６６０，６５７号明細書
【特許文献２】米国特許第５，６４３，３９６号明細書
【特許文献３】米国特許第４，３７９，０１６号明細書
【特許文献４】米国特許第６，１７９，９４６号明細書
【特許文献５】米国特許第６，４８２，２７８号明細書
【特許文献６】米国特許第６，５２１，３２０号明細書
【特許文献７】国際公開第９７／００６５４号パンフレット
【発明の概要】
【発明が解決しようとする課題】
【０００７】
本発明は、先行技術に関連する欠点に対処することを目的とする。特に、本発明は、非連続伸縮性糸における張力が容易に制御可能であり、非連続伸縮性糸の切断が正確に制御可能であり、材料くずが最小限に抑えられる、非連続伸縮性糸を有する伸縮性ウェブを作製するための方法を提供することを目的とする。このプロセスは、いかなる非伸縮性材料の除去または追加の必要性も伴わずに行われる。さらに、特に処分の段階における廃棄材料の末路を管理することが可能であると有利である。望ましくは、この方法は、既知のまたは市販の機械類に実質的に変更を伴うことなく、それらの機械類において実施が可能である。以下の説明および特許請求の範囲から、本発明のこれらのおよび他の利点が明らかになろう。
【課題を解決するための手段】
【０００８】
本発明は、非連続伸縮性糸５１０、５１１を有する伸縮性ウェブ１４０を製造するための方法を提供する。本方法は、
ａ．  第１のウェブ２００を用意するステップであり、前記第１のウェブ２００は、流れ方向ＭＤに一次伸張範囲を有し、第１の面２０１および第２の面２０２ならびに第１の縁部２０３および第２の縁部２０４を有し、前記第１の縁部２０３および前記第２の縁部２０４は、流れ方向ＭＤに延在する、ステップと、
ｂ．  第２のウェブ３００を用意するステップであり、前記第２のウェブ３００は、流れ方向ＭＤに一次伸張範囲を有し、第１の面３０１および第２の面３０２ならびに第１の縁部３０３および第２の縁部３０４を有し、前記第１の縁部３０３および前記第２の縁部３０４は、流れ方向ＭＤに延在する、ステップと、
ｃ．  第３のウェブ７００を用意するステップであり、前記第３のウェブ７００は、流れ方向ＭＤに一次伸張範囲を有し、第１の面７０１および第２の面７０２ならびに第１の縁部７０３および第２の縁部７０４を有し、前記第１の縁部７０３および前記第２の縁部７０４は、流れ方向ＭＤに延在する、ステップと、
ｄ．  第１のウェブ２００および第３のウェブ７００のそれぞれの第１の縁部２０３、７０３が隣接し合うように、前記ウェブ２００、７００の第１の面２０１、７０１が同一方向に向くような離間配置構成で、前記第１のウェブ２００に隣接しておよび前記第１のウェブ２００と実質的に平行に位置するように、前記第３のウェブ７００を配置するステップと、
ｅ．  前記第１のウェブ２００の第１の面２０１の少なくとも一部分に、または第２のウェブ３００の第１の面３０１の少なくとも一部分に、第１の接着剤２５０を塗布するステップと、
ｆ．  前記第３のウェブ７００の第１の面７０１の少なくとも一部分に、または第２のウェブ３００の第１の面３０１の少なくとも一部分に、第２の接着剤２６０を塗布するステップと、
ｇ．  前記第１のウェブ２００の前記第１の面２０１の少なくとも前記第１の接着剤２５０を備える部分の上に、または前記第２のウェブ３００の前記第１の面３０１の少なくとも前記第１の接着剤２５０を備える部分の上に、少なくとも１つの第１の伸張性糸５００を適用するステップであり、前記少なくとも１つの第１の糸５００は、第１のパターンＰ１で適用され、前記第１のパターンＰ１は、交差方向ＣＤに蛇行し、流れ方向ＭＤに延在する、ステップと、
ｈ．  前記第３のウェブ７００の前記第１の面７０１の少なくとも前記第２の接着剤２６０を備える部分の上に、または前記第２のウェブ３００の前記第１の面３０１の少なくとも前記第２の接着剤２６０を備える部分の上に、少なくとも１つの第２の伸縮性糸５０２を適用するステップであり、前記少なくとも１つの第２の伸縮性糸５０２は、第２のパターンＰ２で適用され、前記第２のパターンＰ２は、交差方向ＣＤに蛇行し、流れ方向ＭＤに延在する、ステップと、
ｉ．  前記第１のウェブ２００の第１の面２０１の上に前記第２のウェブ３００の第１の面３０１の一部分を適用し、前記少なくとも１つの第１の伸縮性糸５００が第１のウェブ２００および第２のウェブ３００のそれぞれの前記第１の面２０１、３０１間に部分的に挟まれるように、および第１のパターンＰ１が第１のウェブ２００の第１の縁部２０３を越えて延在して、前記第１のウェブ２００の前記第１の縁部２０３から交差方向ＣＤに突出する前記第１の伸縮性糸５００の第１のループ５０１を形成するように、前記第１のウェブ２００および前記第２のウェブ３００を一体的に固定するステップと、
ｊ．  前記第３のウェブ７００の第１の面７０１の上に前記第２のウェブ３００の第１の面３０１の一部分を適用し、前記少なくとも１つの第２の伸縮性糸５０２が第２のウェブ３００および第３のウェブ７００のそれぞれの第１の面３０１、７０１間に部分的に挟まれるように、第２のパターンＰ２が第３のウェブ７００の第１の縁部７０３を越えて延在して、前記第３のウェブ７００の前記第１の縁部７０３から交差方向ＣＤに突出する前記第２の伸縮性糸５０２の第２のループ５０３を形成するように、および、第１の伸縮性糸５００が第１のウェブ２００の第１の縁部２０３から最も遠くに位置する流れ方向ＭＤ上のポイントが、第２の伸縮性糸５０２が第３のウェブ７００の第１の縁部７０３から最も遠くに位置する流れ方向ＭＤ上のポイントに実質的に一致するように、前記第１のパターンＰ１および前記第２のパターンＰ２が同期されるように、前記第３のウェブ７００および前記第２のウェブ３００を一体的に固定するステップと、
ｋ．  少なくとも１つの弾性ベルト４０１および少なくとも１つのアンビル６２０を備える第１のループ保持手段４１０内に前記第１の伸縮性糸５００の第１のループ５０１を固定するステップであり、前記ループ保持手段４１０は、前記第１のウェブ２００の第１の縁部２０３に隣接して配置される、ステップと、
ｌ．  少なくとも１つの弾性ベルト４０３および少なくとも１つのアンビル６２０を備える第２のループ保持手段４１１内に前記第２の伸縮性糸５０２の第２のループ５０３を固定するステップであり、前記第２のループ保持手段４１０は、前記第３のウェブ７００の第１の縁部７０３に隣接して配置される、ステップと、
ｍ．  ループ５０１が第１のウェブ２００から除去された状態になるように、各第１の伸縮性糸５００が前記第１のウェブ２００の第１の縁部２０３と交差するポイントにて実質的に全ての第１の伸縮性糸５００を切断するステップと、
ｎ．  ループ５０３が第３のウェブ７００から除去された状態になるように、各第２の伸縮性糸５０２が前記第３のウェブ７００の第１の縁部７０３と交差するポイントにて実質的に全ての第２の伸縮性糸５０２を切断するステップと
を含み、
ステップｄ．は、非連続伸縮性糸５１０、５１１を有する伸縮性ウェブ１４０を作製するために、ステップｉ．の前の本方法の任意の時点にて実施され得る。
【０００９】
本方法のステップｅ．〜ｌ．は、単一のニップ４００内において実質的に同時に行われてもよい。
【００１０】
第１のループ保持手段４１０の弾性ベルト４０１および第２のループ保持手段４１１の弾性ベルト４０３は、単一の幅広弾性ベルトから構成されてもよい。
【００１１】
好ましくは、第１のループ保持手段４１０は、前記第１のウェブ２００の第１の縁部２０３に隣接して配置される少なくとも１つの第１の弾性ベルト４０１および少なくとも１つの第２の弾性ベルト４０２を備える。同様に、第２のループ保持手段４１１は、前記第３のウェブ７００の第１の縁部７０３に隣接して配置される少なくとも１つの第３の弾性ベルト４０３および少なくとも１つの第４の弾性ベルト４０４を備えてもよい。さらなるオプションとして、単一の幅広弾性ベルトが、第３の弾性ベルト４０３および第１の弾性ベルト４０１を含んでもよく、単一の幅広弾性ベルトが、第４の弾性ベルト４０４および第２の弾性ベルト４０２を含んでもよい。
【００１２】
少なくとも１つのアンビル６２０は、中心シリンダ６２０であってもよい。
【００１３】
さらに、本発明は、伸縮性ウェブ１４０からパンツ式製品２０を製造するための方法を提供する。本方法は、
ａ．  上述の方法を実施して、非連続伸縮性糸５１０、５１１を有する伸縮性ウェブ１４０を作製するステップであり、少なくとも１つの第１の非連続伸縮性糸５１０が、第１のウェブ２００および第２のウェブ３００のそれぞれの第１の面２０１、３０１間に挟まれ、少なくとも１つの第２の非連続伸縮性糸５１１が、第３のウェブ７００および第２のウェブ３００のそれぞれの第１の面７０１、３０１間に挟まれる、ステップと、
ｂ．第１のウェブ２００および第３のウェブ７００の非連続伸縮性糸５１０、５１１間に実質的に画定される伸縮性ウェブ１４０の脚部領域１２２を切除して、脚部用開口１２１を形成するステップと、
ｃ．  伸縮性ウェブ１４０の第１の縁部１４３および第２の縁部１４４が、互いに実質的に隣接し合い、実質的に平行に配置された状態になるように、折り畳み線Ｆに沿って伸縮性ウェブ１４０を折り畳むステップと、
ｄ．  線Ｃに沿って折り畳まれた伸縮性ウェブ１４０を接合するステップであって、前記線Ｃは、伸縮性ウェブ１４０の第１の縁部１４３および第２の縁部１４４から折り畳み線Ｆまで実質的に交差方向ＣＤに延在し、前記線Ｃは、実質的に非連続伸縮性糸５１０、５１１が折り畳み線Ｆから最も遠くに位置するポイントに配置され、サイドシーム１３１を形成するステップと、
ｅ．  伸縮性ウェブ１４０が切断部の両側で接合された状態に留まるように、線Ｃに沿って伸縮性ウェブ１４０を切断するステップと
を含み、
ステップｂ．およびｃ．は、任意の順序で実施することが可能であり、それによりパンツ式製品２０が作製される。
【００１４】
本方法は、第１のウェブ２００、第２のウェブ３００、および／または第３のウェブ７００の少なくとも一部分上に載置するように吸収性パケット１３０を配置し、ステップａ．の後に、しかしステップｃ．の前に、前記第１のウェブ２００、前記第２のウェブ３００、および／または前記第３のウェブ７００の中の少なくとも１つに前記吸収性パケット１３０を固定する追加ステップを含んでもよい。
【００１５】
さらに、本発明は、伸縮性ウェブ１４０から吸収性製品１０を製造するための方法を提供する。本方法は、
ａ．  上述の方法を実施して、非連続伸縮性糸５１０、５１１を有する伸縮性ウェブ１４０を作製するステップであり、少なくとも１つの第１の非連続伸縮性糸５１０が、第１のウェブ２００および第２のウェブ３００のそれぞれの第１の面２０１、３０１間に挟まれ、少なくとも１つの第２の非連続伸縮性糸５１１が、第３のウェブ７００および第２のウェブ３００のそれぞれの第１の面７０１、３０１間に挟まれる、ステップと、
ｂ．  第１のウェブ２００、第２のウェブ３００、および／または第３のウェブ７００の少なくとも一部分上に載置するように吸収性パケット１３０を配置し、前記第１のウェブ２００、前記第２のウェブ３００、および／または前記第３のウェブ７００の中の少なくとも１つに前記吸収性パケット１３０を固定するステップと、
ｃ．第１のウェブ２００および第３のウェブ７００の非連続伸縮性糸５１０、５１１間に実質的に画定される伸縮性ウェブ１４０の領域を切除して、脚部用開口１２１を形成するステップと、
ｄ．  前記伸縮性ウェブ１４０の上に固定手段１３２を設けるステップと、
ｅ．  線Ｃに沿って伸縮性ウェブ１４０を切断するステップであり、前記線Ｃは、伸縮性ウェブ１４０の第１の縁部１４３から第２の縁部１４４まで実質的に交差方向ＣＤに延在し、前記線Ｃは、非連続伸縮性糸５１０、５１１が第１のウェブ２００および第３のウェブ７００の第１の縁部２０３、７０３から最も遠くに位置することとなるポイントに実質的に配置される、ステップと
を含み、それにより吸収性製品１０を作製する。
【００１６】
さらに、伸縮性ウェブ１４０を製造するための装置６００が提供される。前記装置６００は、
前記第１のウェブ２００を供給するための第１のウェブ供給手段６０１と、
前記第２のウェブ３００を供給するための第２のウェブ供給手段６０２と、
前記第３のウェブ７００を供給するための第３のウェブ供給手段６０７と、
前記少なくとも１つの第１の伸縮性糸５００を供給するための第１の伸縮性糸供給手段６１０と、
前記少なくとも１つの第２の伸縮性糸５０２を供給するための第２の伸縮性糸供給手段６１１と、
前記第１の接着剤２５０を供給するための第１の接着剤供給手段６１２と、
前記第２の接着剤２６０を供給するための第２の接着剤供給手段６１３と、
前記第１の伸縮性糸５００および前記第２の伸縮性糸５０２を切断するための切断手段６０５、６０５’と
を備え、
前記第１の接着剤供給手段６１２は、前記第１のウェブ２００の第１の面２０１の少なくとも一部分に、または第２のウェブ３００の第１の面３０１の少なくとも一部分に、第１の接着剤２５０を塗布するように、配置され、
前記第１の伸縮性糸供給手段６１０は、前記第１のウェブ２００の前記第１の面２０１の少なくとも前記第１の接着剤２５０を備える部分の上に、または前記第２のウェブ３００の前記第１の面３０１の少なくとも前記第１の接着剤２５０を備える部分の上に、少なくとも１つの第１の伸縮性糸５００を適用するように配置され、前記少なくとも１つの第１の伸縮性糸５００は、第１のパターンＰ１で適用され、前記第１のパターンＰ１は、交差方向ＣＤに蛇行し、流れ方向ＭＤに延在し、
前記第２の接着剤供給手段６１３は、第３のウェブ７００の第１の面７０１の少なくとも一部分に、または第２のウェブ３００の第１の面３０１の少なくとも一部分に、第２の接着剤２６０を塗布するように、配置され、
前記第２の伸縮性糸供給手段６１１は、前記第３のウェブ７００の前記第１の面７０１の少なくとも前記第２の接着剤２６０を備える部分の上に、または前記第２のウェブ３００の前記第１の面３０１の少なくとも前記第２の接着剤２６０を備える部分の上に、少なくとも１つの第２の伸縮性糸５０２を適用するように配置され、前記少なくとも１つの第２の伸縮性糸５０２は、第２のパターンＰ２で適用され、前記第２のパターンＰ２は、交差方向ＣＤに蛇行し、流れ方向ＭＤに延在し、
前記第２のウェブ供給手段６０２は、前記第２のウェブ２００の第１の面２０１および前記第３のウェブ７００の前記第１の面７０１の上に前記第２のウェブ３００の前記第１の面３０１を適用し、前記少なくとも１つの第１の伸縮性糸５００が第１のウェブ２００および第２のウェブ３００のそれぞれの第１の面２０１、３０１間に部分的に挟まれ、前記少なくとも１つの第２の伸縮性糸５０２が第３のウェブ７００および第２のウェブ３００のそれぞれの第１の面７０１、３０１間に部分的に挟まれるように、第１のパターンＰ１が第１のウェブ２００の第１の縁部２０３を越えて延在して、前記第１のウェブ２００の前記第１の縁部２０３から交差方向ＣＤに突出する前記第１の伸縮性糸５００の第１のループ５０１を形成するように、第２のパターンＰ２が第３のウェブ７００の第１の縁部７０３を越えて、前記第３のウェブ７００の前記第１の縁部７０３から交差方向ＣＤに突出する前記第２の伸縮性糸５０２の第２のループ５０３を形成するように、および、第１の伸縮性糸５００が第１のウェブ２００の第１の縁部２０３から最も遠くに位置する流れ方向ＭＤ上のポイントが、第２の伸縮性糸５０２が第３のウェブ７００の第１の縁部７０３から最も遠くに位置する流れ方向ＭＤ上のポイントに実質的に一致するように、前記第１のパターンＰ１および前記第２のパターンＰ２が同期されるように、前記第１のウェブ２００および前記第２のウェブ３００を一体的に、ならびに前記第３のウェブ７００および前記第２のウェブ３００を一体的に固定するように配置され、
前記切断手段６０５、６０５’は、第１のループ５０１が第１のウェブ２００から除去された状態になるように、実質的に各第１の伸縮性糸５００が前記第１のウェブ２００の第１の縁部２０３に交差するポイントにて全ての伸縮性糸５００を切断するように、および、第２のループ５０３が第３のウェブ７００から除去された状態になるように、実質的に各第２の伸縮性糸５０２が前記第３のウェブ７００の第１の縁部７０１に交差するポイントにて全ての伸縮性糸５０２を切断するように、配置される。
【００１７】
前記装置６００は、少なくとも１つの弾性ベルト４０１および少なくとも１つのアンビル６２０を備える第１のループ保持手段４１０を備え、前記第１のループ保持手段４１０は、前記第１のウェブ２００の第１の縁部２０３に隣接して配置され、前記第１のループ保持手段４１０内に第１のループ５０１を固定するように構成され、前記装置６００は、少なくとも１つの弾性ベルト４０３および少なくとも１つのアンビル６２０を備える第２のループ保持手段４１１をさらに備え、前記ループ保持手段４１０は、前記第３のウェブ７００の第１の縁部７０３に隣接して配置され、前記第２のループ保持手段４１１内に第２のループ５０３を固定するように構成される。
【００１８】
第１のループ保持手段４１０は、前記第１のウェブ２００の第１の縁部２０３に隣接して配置された、少なくとも１つの第１の弾性ベルト４０１および少なくとも１つの第２の弾性ベルト４０２を備え、これらの弾性ベルト４０１および４０２は、前記少なくとも１つの第１の弾性ベルト４０１と前記少なくとも１つの第２の弾性ベルト４０２との間のニップ４００内に第１の伸縮性糸５００の第１のループ５０１を固定するように構成される。
【００１９】
同様に、前記第２のループ保持手段４１１は、前記第３のウェブ７００の第１の縁部７０３に隣接して配置された、少なくとも１つの第３の弾性ベルト４０３および少なくとも１つの第４の弾性ベルト４０４を備えてもよく、これらの弾性ベルト４０３および４０４は、前記少なくとも１つの第３の弾性ベルト４０３と前記少なくとも１つの第４の弾性ベルト４０４との間のニップ４００’内に第２の伸縮性糸５０２の第２のループ５０３を固定するように構成される。任意には、単一の幅広弾性ベルトが、第３の弾性ベルト４０３および第１の弾性ベルト４０１を含んでもよく、単一の幅広弾性ベルトが、第４の弾性ベルト４０４および第２の弾性ベルト４０２を含んでもよい。
【００２０】
第１のウェブ２００、第２のウェブ３００、および第３のウェブ７００は、上述の装置６００の単一のニップ４００内において一体的に固定されてもよい。
【００２１】
上述の装置６００においては、
前記第１のウェブ２００を供給するための第１のウェブ供給手段６０１、
前記第２のウェブ３００を供給するための第２のウェブ供給手段６０２、
前記第３のウェブ７００を供給するための第３のウェブ供給手段６０７、
前記少なくとも１つの第１の伸縮性糸５００を供給するための第１の伸縮性糸供給手段６１０、
前記少なくとも１つの第２の伸縮性糸５０２を供給するための第２の伸縮性糸供給手段６１１、
前記第１の接着剤２５０を供給するための第１の接着剤供給手段６１２、
前記第２の接着剤２６０を供給するための第２の接着剤供給手段６１３、
前記第１の伸縮性糸５００および前記第２の伸縮性糸５０２を切断するための切断手段６０５、６０５’、ならびに
第１のループ保持手段４１０および第２のループ保持手段４１１
が、単一の中心シリンダ６２０を中心として周囲に配置されてもよい。
【００２２】
さらに、伸縮性ウェブ１４０からパンツ式製品２０を製造するための装置６００が提供される。この装置６００は、
前記伸縮性ウェブ１４０を供給するための伸縮性ウェブ供給手段６２１と、
必要に応じて、吸収性パケット１３０を供給するための吸収性パケット供給手段６２２と、
脚部領域１２２を切除するための脚部領域切断手段６２３と、
伸縮性ウェブ１４０を折り畳むための折り畳み手段６２８と、
伸縮性ウェブ１４０を接合するための接合手段６２６と、
伸縮性ウェブ１４０を切断するための伸縮性ウェブ切断手段６２５と
をさらに備え、
ａ．  前記伸縮性ウェブ供給手段６２１は、非連続伸縮性糸５１０、５１１を有する伸縮性ウェブ１４０を供給するように配置され、少なくとも１つの第１の非連続伸縮性糸５１０が、第１のウェブ２００および第２のウェブ３００のそれぞれの第１の面２０１、３０１間に挟まれ、少なくとも１つの第２の非連続伸縮性糸５１１が、第３のウェブ７００および第２のウェブ３００のそれぞれの第１の面７０１、３０１間に挟まれ、
ｂ．  前記吸収性パケット供給手段６２２は、第１のウェブ２００、第２のウェブ３００、および／または第３のウェブ７００の少なくとも一部分上に載置するように吸収性パケット１３０を配置し、前記第１のウェブ２００、前記第２のウェブ３００、および／または前記第３のウェブ７００の中の少なくとも１つに前記吸収性パケット１３０を固定するように、配置され、
ｃ．  前記脚部領域切断手段６２３は、第１のウェブ２００および第３のウェブ７００の非連続伸縮性糸５１０、５１１間に実質的に画定される伸縮性ウェブ１４０の領域を切除して、脚部用開口１２１を形成するように配置され、
ｄ．  前記折り畳み手段６２８は、伸縮性ウェブ１４０の第１の縁部１４３および第２の縁部１４４が、互いに実質的に隣接し合い、実質的に平行となるように配置されるように、折り畳み線Ｆに沿って伸縮性ウェブ１４０を折り畳むために配置され、
ｅ．  前記接合手段６２６は、線Ｃに沿って折り畳まれた伸縮性ウェブ１４０を接合するように配置され、前記線Ｃは、伸縮性ウェブ１４０の第１の縁部１４３および第２のウェブ１４４から折り畳み線Ｆまで実質的に交差方向ＣＤに延在し、前記線Ｃは、非連続伸縮性糸５１０、５１１が折り畳み線Ｆから最も遠くに位置することとなるポイントに実質的に位置し、それによりサイドシーム１３１が形成され、
ｆ．  前記伸縮性ウェブ切断手段６２５は、伸縮性ウェブ１４０が切断部の両側で接合された状態に留まるように、線Ｃに沿って伸縮性ウェブ１４０を切断するために配置される。
【００２３】
さらに、伸縮性ウェブ１４０から開放式おむつの形態の吸収性製品１０を製造するための装置６００が提供される。この装置６００は、
前記伸縮性ウェブ１４０を供給するための伸縮性ウェブ供給手段６２１と、
吸収性パケット１３０を供給するための吸収性パケット供給手段６２２と、
脚部領域６２４を切除するための脚部領域切断手段６２３と、
伸縮性ウェブ１４０を切断するための伸縮性ウェブ切断手段６２５と、
固定手段１３２を供給するための固定供給手段６２７と
をさらに備え、
ａ．  前記伸縮性ウェブ供給手段６２１は、非連続伸縮性糸５１０、５１１を有する伸縮性ウェブ１４０を供給するように配置され、少なくとも１つの第１の非連続伸縮性糸５１０が、第１のウェブ２００および第２のウェブ３００のそれぞれの第１の面２０１、３０１間に挟まれ、少なくとも１つの第２の非連続伸縮性糸５１１が、第３のウェブ７００および第２のウェブ３００のそれぞれの第１の面７０１、３０１間に挟まれ、
ｂ．  前記吸収性パケット供給手段６２２は、第１のウェブ２００、第２のウェブ３００、および／または第３のウェブ７００の少なくとも一部分上に載置するように吸収性パケット１３０を配置し、前記第１のウェブ２００、前記第２のウェブ３００、および／または前記第３のウェブ７００の中の少なくとも１つに前記吸収性パケット１３０を固定するように、配置され、
ｃ．  前記脚部領域切断手段６２３は、第１のウェブ２００および第３のウェブ７００の非連続伸縮性糸５１０、５１１間に実質的に画定される伸縮性ウェブ１４０の領域を切除して、脚部用開口１２１を形成するように配置され、
ｄ．  前記固定供給手段６２７は、前記伸縮性ウェブ１４０の上に固定手段１３２を設けるように配置され、
ｅ．  前記伸縮性ウェブ切断手段６２５は、線Ｃに沿って伸縮性ウェブ１４０を切断するために配置され、前記線Ｃは、伸縮性ウェブ１４０の第１の縁部１４３から第２の縁部１４４まで実質的に交差方向ＣＤに延在し、前記線Ｃは、非連続伸縮性糸５１０、５１１が第１のウェブ２００および第３のウェブ７００の第１の縁部２０３、７０３から最も遠くに離れて位置するポイントに実質的に位置する。
【００２４】
少なくとも１つのアンビル６２０は、中心シリンダ６２０であってもよい。
（定義）
【００２５】
「流れ方向」は、自動化プロセスにおける構成要素の主要な移動方向を意味するものとして理解すべきである。「交差方向」は、構成要素の平面内の、流れ方向に対して垂直な方向を意味するものとして理解すべきである。
【００２６】
「吸収性製品」という用語は、尿、糞便、および月経流体などの身体滲出物を吸収および収容するために着用者の皮膚に対して配置される製品を指す。本発明は、主に使い捨ての吸収性製品を指し、これは、使用後に吸収性製品として洗濯されるかまたは他の方法で復元もしくは再利用されるようには意図されない製品を意味する。この用語は、おむつ（開放式おむつおよびパンツ式おむつの両方）ならびに失禁ガードを含む。
【００２７】
以下、同封の概略図を参照として、本発明をさらに詳細に説明する。
【図面の簡単な説明】
【００２８】
【図１】伸縮性ウェブを製造するための一方法の簡略図である。
【図１Ａ】図１の線ＩＡ−ＩＡに沿った拡大断面図である。
【図１Ｂ】図１の線ＩＢ−ＩＢに沿った拡大断面図である。
【図２】本発明の伸縮性ウェブを作製するのに適した装置の断面図である。
【図３】図１の伸縮性ウェブからパンツ式製品がどのように作製され得るかを示す図である。
【図４】図１の伸縮性ウェブから開放式おむつがどのように作製され得るかを示す図である。
【図５】本発明の方法を利用して作製し得るパンツ式製品の一実施形態を示す図である。
【図５Ａ】図５の線ＶＡ−ＶＡに沿った断面図である。
【図６】本発明の方法を利用して作製し得るパンツ式製品の一実施形態を示す図である。
【図６Ａ】図６の線ＶＩＡ−ＶＩＡに沿った断面図である。
【図７】本発明の方法を利用して作製し得るパンツ式製品の一実施形態を示す図である。
【図７Ａ】図７の線ＶＩＩＡ−ＶＩＩＡに沿った断面図である。
【図８】本発明の方法を利用して作製し得るパンツ式製品の一実施形態を示す図である。
【図８Ａ】図８の線ＶＩＩＩＡ−ＶＩＩＩＡに沿った断面図である。
【図９】本発明の方法を利用して作製し得る開放式おむつの一実施形態を示す図である。
【図９Ａ】図９の線ＩＸＡ−ＩＸＡに沿った断面図である。
【図１０】本発明の方法を利用して作製し得る開放式おむつの一実施形態を示す図である。
【図１０Ａ】図１０の線ＸＡ−ＸＡに沿った断面図である。
【発明を実施するための形態】
【００２９】
図１の図によれば、本発明は、非連続伸縮性糸５１０、５１１を有する伸縮性ウェブ１４０を製造するための方法を提供する。
【００３０】
伸縮性ウェブ１４０は、第１のウェブ２００と、第２のウェブ３００と、前記第１のウェブ２００と前記第２のウェブ３００との間に挟まれる非連続伸縮性糸５１０との積層を備える。第２のウェブ３００の異なる部分の上に、第３のウェブ７００が、非連続伸縮性糸５１１が前記第３のウェブ７００と前記第２のウェブ３００との間に挟まれた状態で積層される。
【００３１】
第１のウェブ２００は、前記第１のウェブ２００が、流れ方向（ＭＤ）に一次伸張範囲を有し、第１の面２０１および第２の面２０２ならびに第１の縁部２０３および第２の縁部２０４を有し、前記第１の縁部２０３および前記第２の縁部２０４が、流れ方向（ＭＤ）に延在する状態で、用意される。第１のウェブ２００の第１の縁部２０３および第２の縁部２０４は、典型的には、直線状であり、互いに平行である。第１のウェブ２００は、例えばロールなどから流れ方向に基本的に連続的に搬送される。典型的には、第１のウェブ２００は、乳児用おむつについては１０〜２５ｃｍの間の伸張、成人用失禁パンツについては２０〜５０ｃｍの間の伸張、好ましくは、乳児用おむつについては１３〜２０ｃｍの間の伸張、および成人用失禁パンツについては３０〜４３ｃｍの間の伸張範囲を交差方向（ＣＤ）に有する。
【００３２】
第１のウェブ２００は、不織材料（例えばスパンボンド不織材料、メルトブロー不織材料、カーディング不織材料、ハイドロエンタングル不織材料、ウェットレイド不織材料等々）を含んでもよい。不織材料の繊維は、天然（例えばレーヨン線維またはセルロース繊維）の、または人工（例えばポリエチレン繊維またはポリプロピレン繊維などのポリオレフィン繊維などの高分子繊維など）のものであってもよい。代替的には、第１のウェブ２００は、例えばポリエチレンまたはポリプロピレンなどのポリオレフィンフィルムなどの、プラスチックフィルムを含んでもよい。さらに、第１のウェブ２００は、２つ以上の不織層の積層、あるいは１つまたは複数のプラスチックフィルムを含む１つまたは複数の不織層の積層を含んでもよい。第１のウェブ２００が、１０〜４０ｇ／ｍ２の間の基本重量を有することが適切である。また適切なものとして、第１のウェブ２００は、空気透過性を有するべきである。
【００３３】
さらに、第２のウェブ３００は、前記第２のウェブ３００が、やはり流れ方向（ＭＤ）に一次伸張範囲を有し、第１の面３０１および第２の面３０２ならびに第１の縁部３０３および第２の縁部３０４を有し、前記第１の縁部３０３および前記第２の縁部３０４が、流れ方向（ＭＤ）に延在する状態で、用意される。
【００３４】
第２のウェブ３００は、第１のウェブ２００について上述したのと同様に、１つまたは複数の不織材料、プラスチックフィルム、またはそのような２つの材料の積層を含んでもよい。第２のウェブ３００の第１の縁部３０３および第２の縁部３０４は、典型的には、直線状であり、互いに平行である。第２のウェブ３００は、図１に図示されるように、第１のウェブ２００と同一の寸法を有してもよい。しかし、第２のウェブ３００は、第１のウェブ２００の伸張範囲よりも大きなまたは小さな伸張範囲を交差方向（ＣＤ）に有することが可能であり得る。適切なものとして、第２のウェブ３００は、１０〜４０ｇ／ｍ２の間の基本重量を有する。第２のウェブ３００は、空気透過性を有するべきである。
【００３５】
さらに、第３のウェブ７００は、前記第３のウェブ７００が、流れ方向（ＭＤ）に一次伸張範囲を有し、第１の面７０１および第２の面７０２ならびに第１の縁部７０３および第２の縁部７０４を有し、前記第１の縁部７０３および前記第２の縁部７０４が、流れ方向（ＭＤ）に延在する状態で、用意される。第２のウェブ３００は、典型的には（しかし必須ではない）交差方向（ＣＤ）に伸張範囲を有し、この伸張範囲は、交差方向（ＣＤ）における第１のウェブ２００および第３のウェブ７００の合計伸張範囲以上である。図１は、第２のウェブ３００が、交差方向（ＣＤ）に伸張範囲を有し、この伸張範囲が、交差方向（ＣＤ）における第１のウェブ２００および第３のウェブ７００の合計伸張範囲と、前記第１のウェブ２００と前記第３のウェブ７００との間の間隔（すなわち「股ギャップ」）とを加算したものと実質的に等しいことを示す。
【００３６】
第３のウェブ７００の材料は、第１のウェブ２００について上述した任意の材料から選択されてもよい。同様に、第２のウェブ３００の材料は、第１のウェブ２００について上述した任意の材料から選択されてもよい。さらに、第１のウェブ２００および第３のウェブ７００が、第１のウェブ２００および第３のウェブ７００に分離された同一のウェブから作製することが可能であってもよい。
【００３７】
第３のウェブ７００は、第１のウェブ２００および第３のウェブ７００のそれぞれの第１の縁部２０３、７０３が隣接し合うように、前記ウェブ２００、７００の第１の面２０１、７０１が同一方向に向くような離間された配置構成で、前記第１のウェブ２００に隣接しておよび前記第１のウェブ２００と実質的に平行に位置するように配置される。これは、接着剤および／または伸縮性糸を適用する前に、第１のウェブ２００および第３のウェブ７００を平行に配置することにより実現され得る。実際には、第１のウェブ２００および第３のウェブ７００は、同一の装置を通じて並行して加工されてもよい。さらに、第１のウェブ２００および第３のウェブ７００は、同一の単一のウェブ（図示せず）から作製されてもよく、この単一のウェブは、流れ方向に分離されて、平行な第１のウェブ２００および第３のウェブ７００を提供する。代替的には、第１のウェブ２００および第３のウェブ７００は、この時点までは別個に加工され、第２のウェブ３００が後のステップにおいて適用される直前に、適切な態様で位置合わせされてもよい。
【００３８】
第１のウェブ２００および第３のウェブ７００が、隣接し合うようにおよび実質的に平行に位置するように配置されるため、これらは、第２のウェブ３００に固定される際に重複しない。実際には、交差方向（ＣＤ）において、第２のウェブ３００は、第１のウェブ２００と第３のウェブ７００との間のスペースを架橋し、それによって、伸縮性ウェブ１４０を生成する。
【００３９】
第１の接着剤２５０が、前記第１のウェブ２００の第１の面２０１の少なくとも一部分に塗布される。代替的には、第１の接着剤２５０は、第２のウェブ３００の第１の面３０１の少なくとも一部分に塗布される。
【００４０】
第１の接着剤２５０は、図１に図示されるように、第１のウェブ２００および第２のウェブ３００の上にスプレー塗布されてもよいが、例えばスロットコーティング、マルチビードコーティング、押出し、またはローリングなどの他の塗布方法が使用されてもよい。接着剤塗布の好ましい方法は、スロットコーティングである。第１の接着剤２５０は、典型的には、５〜３０ｇｓｍの間の、好ましくは５〜１５ｇｓｍの間の量で、第１のウェブ２００に対して塗布される。
【００４１】
第１の接着剤２５０に適した接着剤は、例えば、Ｂｏｓｔｉｋ社によるＨ４２８１ＲＦ、ＨＢ  ｆｕｌｌｅｒ  ＧｍｂＨ社によるＮＷ１００２、またはＮａｔｉｏｎａｌ  Ｓ＆Ｃ社によるＤｉｓｐｏｍｅｏｌｔ  ５４８２などであってもよい。
【００４２】
第１の接着剤２５０は、第１のウェブ２００の第１の面２０１全体に塗布されてもよい。しかし、経済性の理由から、第１の接着剤２５０は、第１のウェブ２００の第１の面２０１の一部分のみに塗布される。第１の接着剤２５０は、実質的に均一に第１のウェブ２００に塗布されてもよいが、好ましくは、第１の接着剤２５０は、第１の伸縮性糸５００が第１のウェブ２００に適用される第１のパターン（Ｐ１）（以下を参照）に相当する第１のパターンで第１のウェブ２００に塗布される。
【００４３】
同様に、第２の接着剤２６０が、前記第３のウェブ７００の第１の面７０１の少なくとも一部分に塗布される。代替的には、第２の接着剤２６０は、第２のウェブ３００の第１の面３０１の少なくとも一部分に塗布される。第１の接着剤２５０および第２の接着剤２６０の両方が、第２のウェブ３００に塗布される場合には、これらの接着剤は、重複しない方法でそれらの異なる区域に適切に塗布されるべきである。第１の接着剤２５０および第２の接着剤２６０は、好ましくは、交差方向ＤＣにおいて互いに隣接した状態で第２のウェブ３００に対して塗布される。第２の接着剤２６０は、第１の接着剤２５０について上述した任意の接着剤から選択されてもよく、同一の接着剤を含んでもよい。さらに、前記第２の接着剤２６０の塗布方法は、上述の任意の手段から選択されてもよい。
【００４４】
少なくとも１つの第１の伸縮性糸５００が、前記第１のウェブ２００の前記第１の面２０１の少なくとも前記第１の接着剤２５０を備える部分の上に塗布されるか、または前記第２のウェブ３００の前記第１の面３０１の少なくとも前記第１の接着剤２５０を備える部分の上に塗布される。最終的に、第１の伸縮性糸５００は、パンツ式製品２０の脚部弾性部または開放式おむつタイプの吸収性製品１０の脚部弾性部を形成することとなる。適切な第１の伸縮性糸５００には、例えばＰｌｙｍｏｕｔｈ  ＳＡ社によるＣ１７Ａ（合成弾性部、縦断面０．２ｍｍ×２ｍｍ×６つの端部、このプロセスにおいて分離されることとなる）またはＩｎｖｉｓｔａ社によるＸＡ  Ｔ−２６２Ｐ  １Ａ２１６（スプール上の１１００ｄｔｅｘ単糸、円形縦断面）が含まれる。「糸」という用語が本明細書において使用されるが、この用語は、細帯の伸縮性材料（例えば１ｃｍ未満の幅を有するもの）を含むものとして解釈されるべきである。第１の伸縮性糸５００は、例えばロールなどから連続的に供給される。１つの第１の伸縮性糸５００のみが、第１のウェブ２００に適用されることが可能であってもよいが、例えば２つ、３つ、さらには４つなどの、２つ以上の伸縮性糸５００が適用されてもよい。複数の第１の伸縮性糸５００が使用される場合には、伸縮性糸５００の全てが、実質的に平行に適用されるべきである。少なくとも１つの第１の糸５００は、第１のパターン（Ｐ１）で適用され、前記第１のパターン（Ｐ１）は、図１に図示されるように、交差方向（ＣＤ）に蛇行し、流れ方向（ＭＤ）に延在する。
【００４５】
第１のウェブ２００についてと同様に、少なくとも１つの第２の伸縮性糸５０２が、前記第３のウェブ７００の前記第１の面７０１の少なくとも前記第２の接着剤２６０を備える部分の上に適用されるか、または前記第２のウェブ３００の前記第１の面３０１の少なくとも前記第２の接着剤２６０を備える部分の上に適用される。少なくとも１つの第２の伸縮性糸５０２は、第２のパターン（Ｐ２）で適用され、前記第２のパターン（Ｐ２）は、交差方向（ＣＤ）に蛇行し、流れ方向（ＭＤ）に延在する。第２の伸縮性糸５０２について使用し得る材料は、第１の伸縮性糸５００の材料と同一である。
【００４６】
第２のウェブ３００の第１の面３０１の一部分が、第１のウェブ２００の第１の面２０１上に適用され、第１のウェブ２００および第２のウェブ３００は、少なくとも１つの第１の伸縮性糸５００が、第１のウェブ２００および第２のウェブ３００のそれぞれの第１の面２０１、３０１間に部分的に挟まれるように、且つ、第１のパターン（Ｐ１）が、前記第１のウェブ２００の前記第１の縁部２０３から交差方向（ＣＤ）に突出する、前記第１の伸縮性糸５００の第１のループ５０１を形成するために、第１のウェブ２００の第１の縁部２０３を越えて延在するように、一体的に固定される（図１を参照）。図１は、波状パターン（Ｐ１）を示すが、第１のパターン（Ｐ１）は、様々な蛇行形態をとることが可能であり、１つまたは複数の直線状（線形）セクション、ジグザグ形態、正弦波形態、またはそのようなパターンの変形形態を含んでもよい。
【００４７】
第１のウェブ２００および第２のウェブ３００は、例えば熱溶着、超音波溶着、または接着などの任意の適切な手段により一体的に固定され得る。接着が、最も好ましい。適切には、少なくとも１つの第１の伸縮性糸５００を第１のウェブ２００に固定するために使用される第１の接着剤２５０は、第１のウェブ２００および第２のウェブ３００を一体的に固定するためにも使用し得る。必要に応じて、追加的な接着剤が、第２のウェブ３００の第１の面３０１および／または第１のウェブ２００の第１の面２０１に塗布されてもよい。第１のウェブ２００および第２のウェブ３００は、重複区域の実質的に全体にわたって、互いに適切に固定される。
【００４８】
同様に、第２のウェブ３００の第１の面３０１の一部分が、第３のウェブ７００の第１の面７０１上に適用され、第３のウェブ７００および第２のウェブ３００は、少なくとも１つの第２の伸縮性糸５０２が、第２のウェブ３００および第３のウェブ７００のそれぞれの第１の面３０１、７０１間に部分的に挟まれるように、および、第２のパターン（Ｐ２）が、前記第３のウェブ７００の前記第１の縁部７０３から交差方向（ＣＤ）に突出する、前記第２の伸縮性糸５０２の第２のループ５０３を形成するために、第３のウェブ７００の第１の縁部７０３を越えて延在するように、一体的に固定される（図１を参照）。図１は、実質的な波状パターン（Ｐ２）を示すが、第２のパターン（Ｐ２）は、様々な蛇行形態をとることが可能であり、１つまたは複数の直線状（線形）セクション、ジグザグ形態、正弦波形態、またはそのようなパターンの変形形態を含んでもよい。第２のパターン（Ｐ２）は、第１のパターン（Ｐ１）と同一の形態をとってもよいが、第２のパターン（Ｐ２）は、第１のパターン（Ｐ１）とは異なることが好ましい。第２のウェブ３００および第３のウェブ７００は、第１のウェブ２００および第２のウェブ３００について上述したものなどの任意の適切な手段により一体的に固定され得る。適切には、少なくとも１つの第２の伸縮性糸５０２を第２のウェブ３００に固定するために使用される第２の接着剤２６０は、第２のウェブ３００および第３のウェブ７００を一体的に固定するためにも使用し得る。
【００４９】
伸縮性糸５００、５０２により第１のウェブ２００および第３のウェブ７００の上に形成される第１のパターン（Ｐ１）および第２のパターン（Ｐ２）は、図１に図示されるように同期される。この同期性は、第１の伸縮性糸５００が第１のウェブ２００の第１の縁部２０３から最も遠くに位置する流れ方向（ＭＤ）上のポイントが、第２の伸縮性糸５０２が第３のウェブ７００の第１の縁部７０３から最も遠くに位置する流れ方向（ＭＤ）上のポイントに実質的に一致するように起こる。換言すれば、第１のパターンＰ１および第２のパターンＰ２は、同一の反復回数（ｒｅｐｅａｔ  ｆｒｅｑｕｅｎｃｙ）を有し、流れ方向において反復的に合流および分岐する。
【００５０】
前記第１の伸縮性糸５００の第１のループ５０１は、前記第１のウェブ２００の第１の縁部２０３に隣接して配置された第１のループ保持手段４１０内に固定される。第１のループ保持手段４１０は、第１の縁部２０３から離間され、それによって、その後の切断ステップ（または複数の切断ステップ）が行われることを可能にすることが適切である。
【００５１】
第１のループ保持手段４１０は、第１のループ５０１を固定する役割を果たす。各第１のループ５０１の前縁が後のステップで切断される際に、第１のループ５０１が容易に完全には引き戻らず、その代わりに各ループの後縁と第１のループ保持手段４１０との間に維持されるように、第１のループ５０１が固定されることが、重要である。
【００５２】
第１のループ保持手段４１０は、少なくとも１つの弾性ベルト４０１および少なくとも１つのアンビル６２０を備える。図１に図示されるように、第１の伸縮性糸５００の第１のループ５０１は、前記弾性ベルト４０１とアンビル６２０との間に固定される。
【００５３】
第１のループ５０１と同様に、第２のループ５０３は、前記第３のウェブ７００の第１の縁部７０３に隣接して配置された第２のループ保持手段４１１内に固定される。第２のループ保持手段４１１が、第１の縁部７０３から離間され、それによって、その後の切断ステップ（または複数の切断ステップ）が行われることを可能にすることが適切である。図１に図示されるように、第２のループ保持手段４１１は、少なくとも１つの弾性ベルト４０３および少なくとも１つのアンビル６２０を備える。したがって、第２の伸縮性糸５０２の第２のループ５０３は、前記弾性ベルト４０３とアンビル６２０との間に固定される。
【００５４】
アンビル６２０は、典型的には、金属などの、硬質の非伸縮性材料から作製された構成要素であり、弾性ベルトは、このアンビルに対して作動し得る。アンビル６２０は、典型的には、その周囲に装置の構成要素が配置された、中心シリンダ６２０の形態をとる（図２を参照）が、他の形態（例えば複数のシリンダ）も可能である。
【００５５】
第１のループ保持手段４１０は、前記第１のウェブ２００の第１の縁部２０３に隣接して配置される、少なくとも１つの第１の弾性ベルト４０１および少なくとも１つの第２の弾性ベルト４０２（すなわち２つの弾性ベルト）を備えてもよい。したがって、第１のループ５０１は、少なくとも１つの第１の弾性ベルト４０１と少なくとも１つの第２の弾性ベルト４０２との間のニップ４００内に固定される。この場合、弾性ベルト４０１、４０２の少なくとも一方が、アンビル６２０に対して作動するように配置される。
【００５６】
弾性ベルト４０１、４０２、４０３、４０４は、ゴム、または任意の他の適切な弾性材料から作製され得る。１つの弾性ベルト４０１が、他の弾性ベルト４０２内の１つまたは複数の凹部またはアンビル６２０内に１つまたは複数の凹部と係合し得るような断面を有してもよい。この趣旨において、１つの弾性ベルト４０１が、１つまたは複数の突出部を備えてもよく、該突出部は、他の弾性ベルト４０２またはアンビル６２０内の１つまたは複数の凹部と係合し得る。代替的には、１つの弾性ベルト４０１が、例えば円形、半円形、楕円形、三角形、または正方形などの、および他の弾性ベルト４０２内またはアンビル６２０内の１つまたは複数の凹部に係合し得る、断面を有してもよい。この輪郭形成された構成により、ベルト４０１、４０２間、および／または弾性ベルトとアンビル６２０との間の緊密な接触が可能となり、伸縮性糸５５０、５０２のループ５０１、５０３がしっかりと固定され得るようになる。代替的には、またはさらには、凹部／突出部を有するために、ベルト４０１、４０２は、ループ５０１、５０３を固定的に把持する高摩擦表面を備えてもよい。
【００５７】
本発明の伸縮性ウェブ１４０が、図１に図示される対称的な様式で製造されるため、種々の弾性ベルトは、単一の幅広弾性ベルトから構成されてもよい。特に、第１のループ保持手段４１０の弾性ベルト４０１および第２のループ保持手段４１１の弾性ベルト４０３は、単一の幅広弾性ベルトから構成されてもよい。
【００５８】
図１に図示されるもの発展例として、第２のループ保持手段４１１は、少なくとも１つの第３の弾性ベルト４０３および少なくとも１つの第４の弾性ベルト４０４（すなわち２つの弾性ベルト）を備えてもよく、それらの弾性ベルトは、前記第３のウェブ７００の第１の縁部７０３に隣接して配置される。第３の弾性ベルト４０３および第４の弾性ベルト４０４の性質および特徴は、第１のループ保持手段４１０について上述したものに一致する。この場合、弾性ベルト４０３、４０４の一方は、アンビル６２０に対して作動するように配置される。
【００５９】
さらに、単一の幅広弾性ベルトが、第３の弾性ベルト４０３および第１の弾性ベルト４０１を備えると同時に、単一の幅広弾性ベルトが、第４の弾性ベルト４０４および第２の弾性ベルト４０２を含むことも可能である。換言すれば、一対の幅広弾性ベルトが、４つの別個の弾性ベルト４０１、４０２、４０３、４０４の代わりに使用されて、全てのループ５０１、５０３を捕捉する。この場合、幅広弾性ベルトが、それらの交差方向縁部に輪郭形成された構成を備えることが適切である。
【００６０】
第１の伸縮性糸５００が、第１のループ保持手段４１０内に依然として保持されている間に、全ての第１の伸縮性糸５００は、第１のループ５０１が第１のウェブ２００から除去された状態となるように、実質的に各第１の伸縮性糸５００が前記第１のウェブ２００の第１の縁部２０３と交差するポイントにて切断される。同様に、全ての第２の伸縮性糸５０２は、第２のループ５０３が第３のウェブ７００から除去された状態となるように、第２の伸縮性糸５０２が第２のループ保持手段４１１内に依然として保持されている際に、実質的に各第２の伸縮性糸５０２が前記第３のウェブ７００の第１の縁部７０３と交差するポイントにて切断される。このようにして、ループ５０１、５０３は、第１のウェブ２００から除去された状態となる。図１および図２に図示されるように、ループ保持手段４１０、４１１は、解放され、ループ５０１、５０３は、伸縮性ウェブ１４０の残りの部分から除去される。バキューム手段６３０が、このプロセスからループ５０１、５０３を除去するために使用されることが適切である。
【００６１】
第１の伸縮性糸５００または第２の伸縮性糸５０２の切断は、作製されつつある伸縮性ウェブ１４０から第２のウェブ３００を完全には除去しないように、断続的であるべきである。この場合、切断は、実質的に伸縮性糸５００、５０２が第１のウェブ２００の第１の縁部２０３および第３のウェブ７００の第１の縁部７０３と交差する各ポイントのみにて行われる。さらに、伸縮性糸５００、５０２を単に切断することも可能である。
【００６２】
このようにして、非連続伸縮性糸５１０、５１１を有する伸縮性ウェブ１４０が作製される。この伸縮性ウェブ１４０は、巻き上げられ保管されるか、または、パンツ式製品２０もしくは開放式おむつタイプの吸収性製品１０を製造するためにそのまま使用される。ループ保持手段４１０、４１１（それぞれ少なくとも１つの弾性ベルト４０１、４０３の形態である）が、伸縮性ウェブ１４０の製造において伸縮性糸５００、５０２を保持するために使用されるので、望ましくない弾性部片は、このプロセスの最中に捕捉され、制御され、安全に処分される。さらに、非連続伸縮性糸５１０、５１１における張力は、制御可能であり、伸縮性糸５００、５０２が、第１のループ保持手段４１０および第２のループ保持手段４１１によって引張り状態に保たれるため、伸縮性糸５００、５０２の切断は、正確に実施され得る。さらに、ループ保持手段４１０、４１１が、少なくとも１つの弾性ベルトの形態であるため、ループ保持手段は、ロール（例えば中心シリンダ６２０）間の１つまたは複数のニップを容易に通過することが可能となり、ループ保持手段４１０、４１１の張力は、それらが第１のウェブ、第２のウェブ、および第３のウェブ中に存在する張力と合致するように容易に調節され得る。
【００６３】
以下のステップ、すなわち、
−  前記第１のウェブ２００の第１の面２０１の少なくとも一部分に、または第２のウェブ３００の第１の面３０１の少なくとも一部分に、第１の接着剤２５０を塗布するステップ、
−  前記第３のウェブ７００の第１の面７０１の少なくとも一部分に、または第２のウェブ３００の第１の面３０１の少なくとも一部分に、第２の接着剤２６０を塗布するステップ、
−  前記第１のウェブ２００の前記第１の面２０１の少なくとも前記第１の接着剤２５０を備える部分の上に、または前記第２のウェブ３００の前記第１の面３０１の少なくとも前記第１の接着剤２５０を備える部分の上に、少なくとも１つの第１の伸縮性糸５００を適用するステップ、
−  前記第３のウェブ７００の前記第１の面７０１の少なくとも前記第２の接着剤２６０を備える部分の上に、または前記第２のウェブ３００の前記第１の面３０１の少なくとも前記第２の接着剤２６０を備える部分に、少なくとも１つの第２の伸縮性糸５０２を適用するステップ、
−  前記第１のウェブ２００の第１の面２０１の上に前記第２のウェブ３００の第１の面３０１の一部分を適用し、前記少なくとも１つの第１の伸縮性糸５００が、第１のウェブ２００および第２のウェブ３００のそれぞれの第１の面２０１、３０１間に部分的に挟まれるように、および、第１のパターンＰ１が、前記第１のウェブ２００の前記第１の縁部２０３から交差方向ＣＤに突出する、前記第１の伸縮性糸５００の第１のループ５０１を形成するために、第１のウェブ２００の第１の縁部２０３を越えて延在するように、前記第１のウェブ２００および前記第２のウェブ３００を一体的に固定するステップ、
−  前記第３のウェブ７００の第１の面７０１の上に前記第２のウェブ３００の第１の面３０１の一部分を適用し、少なくとも１つの第２の伸縮性糸５０２が、第２のウェブ３００および第３のウェブ７００のそれぞれの第１の面３０１、７０１間に部分的に挟まれるように、第２のパターン（Ｐ２）が、前記第３のウェブ７００の前記第１の縁部７０３から交差方向（ＣＤ）に突出する、前記第２の伸縮性糸５０２の第２のループ５０３を形成するために、第３のウェブ７００の第１の縁部７０３を越えて延在するように、および、第１の伸縮性糸（５００）が第１のウェブ（２００）の第１の縁部２０３から最も遠くに位置することとなる流れ方向（ＭＤ）上のポイントが、第２の伸縮性糸５０２が第３のウェブ７００の第１の縁部７０３から最も遠くに位置することとなる流れ方向（ＭＤ）上のポイントに実質的に一致するように、前記第１のパターン（Ｐ１）および前記第２のパターン（Ｐ２）が同期されるように、前記第３のウェブ７００および前記第２のウェブ３００を一体的に固定するステップ、
−  少なくとも１つの弾性ベルト４０１および少なくとも１つのアンビル６２０を備え、前記第１のウェブ２００の第１の縁部２０３に隣接して配置される、第１のループ保持手段４１０内に、前記第１の伸縮性糸５００の第１のループ５０１を固定するステップ、および
−  少なくとも１つの弾性ベルト４０３および少なくとも１つのアンビル６２０を備え、前記第３のウェブ７００の第１の縁部７０３に隣接して配置される、第２のループ保持手段４１１内に、前記第２の伸縮性糸５０２の第２のループ５０３を固定するステップ
は、単一のニップ４００内で実質的に同時に行われ得る。
【００６４】
図１Ａは、図１の線ＩＡ−ＩＡに沿った、作製されつつある、すなわち連続伸縮性糸５００、５０２を切断する前の、伸縮性ウェブ１４０の拡大断面図である。この図は、第１のウェブ２００、第２のウェブ３００、および第３のウェブ７００を示す。伸縮性糸５００（前記第１のウェブ２００の第１の縁部２０３から交差方向（ＣＤ）に突出する）が、第１の弾性ベルト４０１と中心シリンダ６２０との間に固定される。伸縮性糸５０２（第３のウェブ７００の第１の縁部７０３から交差方向（ＣＤ）に突出する）が、第３の弾性ベルト４０３と中心シリンダ６２０との間に固定される。第２のウェブ３００が、第１のウェブ２００と第３のウェブ７００との間に延在するため、第２のウェブ３００は、弾性ベルト４０１、４０３と中心シリンダ６２０との間にも固定される。さらに、図１Ａは、弾性糸に対する固定グリップを促進させる特定の縦断面を有する弾性ベルト４０１、４０３を示す。例えば、図１Ａに図示される弾性ベルト４０１、４０３は、先細縦断面を有する。
【００６５】
図１Ｂは、図１の線ＩＢ−ＩＢに沿った、すなわち伸縮性糸５００、５０２の切断後の、伸縮性ウェブ１４０の拡大断面図である。この図は、第１のウェブ２００、第２のウェブ３００、および第１のウェブ２００と第２のウェブ３００との間に積層された非連続伸縮性糸５１０を示す。同様の様式で、非連続伸縮性糸５１１が、第３のウェブ７００と第２のウェブ３００との間に積層される。図１Ｂは、一対の伸縮性糸５１０、５１１を図示するが、さらに少数または多数の伸縮性糸５１０、５１１を備えることも考えられる。特に、パンツ式製品２０または吸収性製品１０の後方部分となる伸縮性ウェブ１４０の部分が、さらに多数の伸縮性糸を有することは、有益である。
【００６６】
本発明の方法は、伸縮性ウェブ１４０をもたらす。伸縮性ウェブ１４０は、図１に図示され、その断面図が、図１Ｂに図示される。伸縮性ウェブ１４０は、非連続伸縮性糸５１０、５１１を有し、
−  第１のウェブ２００であって、流れ方向（ＭＤ）に一次伸張範囲を有し、第１の面２０１および第２の面２０２ならびに第１の縁部２０３および第２の縁部２０４を有し、前記第１の縁部２０３および前記第２の縁部２０４が、流れ方向（ＭＤ）に延在する、第１のウェブ２００と、
−  第２のウェブ３００であって、流れ方向（ＭＤ）に一次伸張範囲を有し、第１の面３０１および第２の面３０２ならびに第１の縁部３０３および第２の縁部３０４を有し、前記第１の縁部３０３および前記第２の縁部３０４が、流れ方向（ＭＤ）に延在する、第２のウェブ３００と、
−  第３のウェブ７００であって、流れ方向（ＭＤ）に一次伸張範囲を有し、第１の面７０１および第２の面７０２ならびに第１の縁部７０３および第２の縁部７０４を有し、前記第１の縁部７０３および前記第２の縁部７０４が、流れ方向（ＭＤ）に延在する、第３のウェブ７００と
を備える。
【００６７】
第１の接着剤２５０が、前記第１のウェブ２００の第１の面２０１の少なくとも一部分の上に、または前記第２ウェブ３００の第１の面３０１の少なくとも一部分の上に、配置される。少なくとも１つの非連続伸縮性糸５１０が、前記第１のウェブ２００の前記第１の面２０１の少なくとも前記第１の接着剤２５０を備える部分の上に、または前記第２のウェブ３００の第１の面３０１の少なくとも前記第１の接着剤を備える部分の上に、配置される。
【００６８】
第２の接着剤２６０は、前記第３のウェブ７００の第１の面７０１の少なくとも一部分の上に、または前記第２のウェブ３００の第１の面３０１の少なくとも一部分の上に、配置される。少なくとも２つの非連続伸縮性糸５１１が、前記第３のウェブ７００の前記第１の面７０１の少なくとも前記第２の接着剤２６０を備える部分の上に、または前記第２のウェブ３００の第１の面３０１の少なくとも前記第２の接着剤２６０を備える部分の上に、配置される。
【００６９】
第３のウェブ７００は、第１のウェブ２００および第３のウェブ７００のそれぞれの第１の縁部２０３、７０３が隣接し合うように、前記ウェブ２００、７００の第１の面２０１、７０１が同一方向に向くような離間配置構成で、前記第１のウェブ２００に隣接しておよび前記第１のウェブ２００と実質的に平行に位置するように配置される。
【００７０】
前記第２のウェブ３００の第１の面３０１は、前記第１のウェブ２００の第１の面２０１上に載置し、前記第１のウェブ２００および前記第２のウェブ３００は、前記少なくとも１つの非連続伸縮性糸５１０が、前記第１のウェブ２００および前記第２のウェブ３００のそれぞれの第１の面２０１、３０１間に挟まれるように、一体的に固定される。
【００７１】
前記第２のウェブ３００の第１の面３０１もまた、前記第３のウェブ７００の第１の面７０１上に載置し、前記第３のウェブ７００および前記第２のウェブ３００は、前記少なくとも１つの非連続伸縮性糸５１１が、前記第３のウェブ７００および前記第２のウェブ３００のそれぞれの第１の面７０１、３０１間に挟まれるように、一体的に固定される。
【００７２】
少なくとも１つの非連続伸縮性糸５１０は、第１のパターン（Ｒ１）で存在する。パターン（Ｒ１）は、第１のウェブ２００上に位置する上述のパターン（Ｐ１）の部分に相当する。したがって、第１のパターン（Ｒ１）は、第１のウェブ２００の第１の縁部２０３から延在し、第１のウェブ２００の前記第１の縁部２０３に戻るループ５２０を形成し、そのため、非連続伸縮性糸５１０は、それらが前記第１のウェブ２００の第１の縁部２０３と合流する各ポイントにて終端する。
【００７３】
同様に、少なくとも１つの非連続伸縮性糸５１１は、第２のパターン（Ｒ２）で存在する。パターン（Ｒ２）は、第３のウェブ７００上に位置する上述のパターン（Ｐ２）の部分に相当する。したがって、第２のパターン（Ｒ２）は、第３のウェブ７００の第１の縁部７０３から延在し、第３のウェブ７００の前記第１の縁部７０３に戻るループ５２１を形成し、そのため、非連続伸縮性糸５１１は、それらが前記第３のウェブ７００の第１の縁部７０３と合流する各ポイントにて終端する。
【００７４】
パターン（Ｒ１、Ｒ２）のループ５２０、５２１は、曲線状でもよいが、パターン（Ｒ１、Ｒ２）は、様々な形態をとることが可能であり、１つまたは複数の直線状（線形）セクションまたはそのようなパターン（Ｒ１、Ｒ２）の変形形態を含んでもよい。パターン（Ｒ１、Ｒ２）のループ５２０、５２１は、各吸収性製品１０またはパンツ式製品２０が対称軸を有するように、交差方向（ＣＤ）に位置する対称軸を有するべきである。
【００７５】
図１に図示されるように、第１のパターン（Ｒ１）および第２のパターン（Ｒ２）は、第１の非連続糸５１０が第１のウェブ２００の第１の縁部２０３から最も遠くに位置する流れ方向（ＭＤ）におけるポイントが、第２の非連続糸５１１が第３のウェブ７００の第１の縁部７０３から最も遠くに位置することとなる流れ方向（ＭＤ）におけるポイントに実質的に一致するように、同期される。換言すれば、第１のパターンＲ１および第２のパターンＲ２は、同一の反復回数を有し、流れ方向において実質的に同一の位置にて分岐する。
【００７６】
図１に図示される方法により、伸縮性ウェブ１４０の形成が可能となる。特に、伸縮性糸５００、５０２が、第１のループ保持手段４１０と第２のループ保持手段４１１との間に（特に、図１に図示されるように弾性ベルト４０１、４０３と中心シリンダ６２０との間に）固定されるため、伸縮性糸５００、５０２は、引張り状態におかれ、これにより、先行技術の方法では不可能な伸縮性糸５００、５０２の正確な切断の実施が、可能となる。したがって、不連続伸縮性糸５１０、５１１は、それらが前記第１のウェブ２００の第１の縁部２０３に、または前記第３のウェブ７００の第１の縁部７０３にそれぞれ合流する各ポイントにて、終端することが可能となる。
【００７７】
さらに、本発明は、伸縮性ウェブ１４０からパンツ式製品２０を製造するための方法を提供する。この実施形態によるパンツ式製品２０を製造するための方法は、図３に図示される。
【００７８】
初めに、伸縮性ウェブ１４０が、図１の方法にしたがって作製される。伸縮性ウェブ１４０は、非連続伸縮性糸５１０、５１１を有し、少なくとも１つの第１の非連続伸縮性糸５１０が、第１のウェブ２００および第２のウェブ３００のそれぞれの第１の面２０１、３０１間に挟まれ、少なくとも１つの第２の非連続伸縮性糸５１１が、第３のウェブ７００および第２のウェブ３００の第１の面７０１、３０１間に挟まれる。第１の非連続伸縮性糸５１０および第２の非連続伸縮性糸５１１は、上述のように同期される。
【００７９】
実質的に第１のウェブ２００および第３のウェブ７００の非連続伸縮性糸５１０、５１１間に画定される伸縮性ウェブ１４０の脚部領域１２２が、切除されて、脚部用開口１２１が形成される。脚部用開口１２１を形成するための伸縮性ウェブ１４０の切断は、以下に説明されるウェブ１４０を折り畳むステップの前または後に実施することができる。脚部用開口１２１を形成するための脚部領域１２２の切除は、機械的手段（例えばブレードもしくはパンチ）、あるいはレーザ、水ジェット切断、超音波切断もしくは熱切断、またはそれらの組合せなどの方法を介して実施することができる。ロータリーダイカッター（ＲＤＣ）の使用が、好ましい手法である。
【００８０】
図３に図示されるように、伸縮性ウェブ１４０は、伸縮性ウェブ１４０の第１の縁部１４３および第２の縁部１４４が実質的に互いに隣接し合い、実質的に平行に配置されるように、折り畳み線（Ｆ）に沿って折り畳まれる。適切には、伸縮性ウェブ１４０は、図３に図示されるように第２のウェブ３００が、この折り畳まれたものの外側に位置するように折り畳まれる。しかしながら、以下において図６および図８の説明の中で明らかになるように、逆の状態も可能である。
【００８１】
次いで、折り畳まれた伸縮性ウェブ１４０が、線（Ｃ）に沿って接合される。線（Ｃ）は、伸縮性ウェブ１４０の第１の縁部１４３および第２の縁部１４４から折り畳み線（Ｆ）まで実質的に交差方向（ＣＤ）に延在する。線（Ｃ）は、実質的に、非連続伸縮性糸５１０、５１１が折り畳み線（Ｆ）から最も遠くに位置するポイントに位置する。最終的には、このような折り畳まれた伸縮性ウェブ１４０の接合により、完成したパンツ式製品２０中のサイドシーム１３１が形成されることとなる。サイドシーム１３１を形成するための接合は、接着剤、熱溶着もしくは超音波溶着、または当技術において既知の任意の通常の方法によって実施することが可能である。
【００８２】
次いで、伸縮性ウェブ１４０が、伸縮性ウェブ（１４０）がこの切断部の両側において接合された状態に留まるように、線（Ｃ）に沿って切断される。このようにして各パンツ式製品（２０）が得られる。この切断ステップは、脚部用開口１２１の切断について上述した任意の切断方法を介して実施することができる。
【００８３】
パンツ式製品２０が、吸収性パケット１３０を備えることとなる場合には、吸収性パケット１３０は、第１のウェブ２００、第２のウェブ３００、および／または第３のウェブ７００の少なくとも一部分上に載置するように配置される。次いで、吸収性パケット１３０は、前記第１のウェブ２００、前記第２のウェブ３００、および／または前記第３のウェブ７００の中の少なくとも１つに固定される。吸収性パケット１３０は、好ましくは、伸縮性ウェブ１４０上の、第１のウェブ２００および第３のウェブ７００を含む面の上に配置される。これにより、図７によるパンツ式製品２０が得られる。代替的には、吸収性パケット１３０は、伸縮性ウェブ１４０上の、第２のウェブ３００を含む面の上に配置される。これにより、図８によるパンツ式製品２０が得られる。吸収性パケット１３０は、ウェブが折り畳まれる前の任意の時点に、伸縮性ウェブ１４０に適用される。
【００８４】
吸収性パケット１３０は、一般的には、１つまたは複数のカバー層１３４により覆われた吸収性芯材１３３を備える。
【００８５】
吸収性芯材１３３は、任意の従来の種類のものが可能である。一般的に存在する吸収性材料の例は、セルロースフラッフパルプ、組織層、高吸収性ポリマー（いわゆる超吸収材）、吸収性発泡材料、または吸収性不織材料等々である。一般的には、吸収体内において、超吸収性材にセルロースフラッフパルプを組み合わせる。例えば乳児用おむつおよび失禁ガードなどにおいて一般的なこの薄い吸収体は、しばしば、セルロースフラッフパルプおよび超吸収材からなる圧縮された混合構造体または層状構造体を備える。吸収性芯材のサイズおよび吸収能力は、乳児用または失禁を患う成人用など、様々な用途に適合するように様々であってもよい。吸収性芯材１３３は、身体排泄物の処置を向上させるように選択され得る１つまたは複数の層を備えてもよい。そのような層は、短時間で大量の液体を受容し、吸収性芯材１３３中に均一にこの液体を分配するように、設計される。これらの層は、いわゆる搬送層、分配層、サージ層、または捕捉層を含んでもよい。
【００８６】
カバー層１３４は、吸収性芯材１３３を囲み、吸収性芯材１３３の完全性および形状を維持する、および伸縮性ウェブ１４０への良好な接着を可能にする役割を果たす。さらに、カバー層１３４は、吸収性芯材１３３に適切な液体処置特性を与えることができ、したがって、吸収性芯材１３３の各面上において、それぞれ適切に多様である。例えば、着用者に面することとなる吸収性芯材１３３の面が、急速な液体吸収を果たすカバー層１３４を備えてもよく、着用者の衣類に面することとなる吸収性芯材１３３のカバー層１３４が、液体バリア特性を有してもよい。
【００８７】
吸収性パケット１３０は、一般的には、第２のウェブ３００に重複するように配置され、第２のウェブ３００に固定される。吸収性パケット１３０は、第１のウェブ２００および第３のウェブ７００上に載置するように配置され、前記第１のウェブ２０および前記第３のウェブ７００の両方または一方に固定されてもよい。吸収性パケット１３０は、パケットの側縁部が非連続糸５１０、５１１の端部に隣接して配置されるように、適用されてもよい。吸収性パケットの固定は、例えば熱溶着、超音波溶着、または接着などの任意の既知の方法を利用して実施することができる。接着が、最も好ましく、第１の接着剤２５０として使用されるものなどの任意の適切な接着剤を使用してもよい。
【００８８】
吸収性パケット１３０の設計およびその目的に応じて、パケット１３０は、同じ度合いで第１のウェブ２００および第３のウェブ７００に重複することが可能であり、または、これらのウェブの一方に、他方よりも大きい度合いで重複してもよい。吸収性パケット１３０は、２つの隣接し合う非連続伸縮性糸５１０から横軸方向に等距離に位置する箇所で固定される。好ましくは、吸収性パケット１３０は、非連続伸縮性糸５１０に重複しないが、重複してもよい。
【００８９】
さらなる材料層が、上述の製造プロセスの最中の任意の時点にて、パンツ式製品２０に加えられてよい。例えば、不織積層または不織積層を含む表面シートが、着用者の皮膚に面するように意図された面上に、パンツ式製品２０に対して加えられてもよい。液体不透過性の裏面シートが、着用者の衣類に面するように意図された面上に、パンツ式製品２０に対して加えられてもよい。
【００９０】
本発明のパンツ式製品２０は、腰部弾性部１３５、胴部弾性部１３７、および立体ギャザー１３６などの追加の構成要素を備えてもよい。そのような構成要素を適用するための適切な方法は、当業者には理解されよう。
【００９１】
さらに、本発明は、第２の実施形態の伸縮性ウェブ１４０から開放式おむつの形態の吸収性製品１０を製造するための方法を提供する。この方法は、図４に概略的に図示され、以下のステップ、すなわち、
−  非連続伸縮性糸５１０、５１１を有する伸縮性ウェブ１４０を用意するステップであって、少なくとも１つの第１の非連続伸縮性糸５１０が、第１のウェブ２００および第２のウェブ３００のそれぞれの第１の面２０１、３０１間に挟まれ、少なくとも１つの第２の非連続伸縮性糸５１１が、第３のウェブ７００および第２のウェブ３００のそれぞれの第１の面７０１、３０１間に挟まれる、ステップと、
−  第１のウェブ２００、第２のウェブ３００、および／または第３のウェブ７００の少なくとも一部分上に載置するように吸収性パケット１３０を配置し、前記第１のウェブ２００、前記第２のウェブ３００、および／または前記第３のウェブ７００の少なくとも１つに前記吸収性パケット１３０を固定するステップと、
−  第１のウェブ２００および第３のウェブ７００の非連続伸縮性糸５１０、５１１間に実質的に画定される伸縮性ウェブ１４０の脚部領域１２２を切除して、脚部用開口１２１を形成するステップと、
−  前記伸縮性ウェブ１４０上に固定手段１３２を設けるステップと、
−  線（Ｃ）に沿って伸縮性ウェブ１４０を切断するステップであって、前記線（Ｃ）は、伸縮性ウェブ１４０の第１の縁部１４３から第２の縁部１４４まで実質的に交差方向（ＣＤ）に延在し、前記線（Ｃ）は、実質的に、非連続伸縮性糸５１０、５１１が第１のウェブ２００および第３のウェブ７００の第１の縁部２０３、７０３から最も遠くに位置することとなるポイントに位置する、ステップと、
を含む。
【００９２】
この方法の個々のステップの詳細は、上記で図３に関連して説明したものと同じである。
【００９３】
固定手段１３２は、着用者の腰部の周囲に開放式おむつの形態の吸収性製品１０を固定する役割を果たす構成要素である。固定手段１３２は、接着剤式固定具またはマジックテープ（登録商標）式（Ｖｅｌｃｒｏ（登録商標））固定具を備えてもよい。本発明の吸収性製品１０は、腰部弾性部１３５、胴部弾性部１３７、および立体ギャザー１３６などの追加の構成要素を備えてもよい。そのような構成要素を適用するための適切な手段は、当業者には理解されよう。
【００９４】
吸収性パケット１３０を配置するステップ、脚部用開口１２１を切除するステップ、および線（Ｃ）に沿って伸縮性ウェブ１４０を切断するステップは、任意の順序で実施することが可能である。しかしながら、好ましくは、線（Ｃ）に沿って伸縮性ウェブ１４０を切断するステップは、この一連のステップの中で最後に行われ、それにより、吸収性パケット１３０が伸縮性ウェブ１４０に固定され、脚部用開口１２１が切除される際に、伸縮性ウェブ１４０の完全性が維持される。
【００９５】
さらに、本発明は、図１に図示される実施形態による非連続伸縮性糸５１０、５１１を有する伸縮性ウェブ１００を製造するための装置６００を提供する。該装置６００は、図２に図示され、
−  前記第１のウェブ２００を供給するための第１のウェブ供給手段６０１と、
−  前記第２のウェブ３００を供給するための第２のウェブ供給手段６０２と、
−  前記第３のウェブ７００を供給するための第３のウェブ供給手段６０７と、
−  前記少なくとも１つの第１の伸縮性糸５００を供給するための第１の伸縮性糸供給手段６１０と、
−  前記少なくとも１つの第２の伸縮性糸５０２を供給するための第２の伸縮性糸供給手段６１１と、
−  前記第１の接着剤２５０を供給するための第１の接着剤供給手段６１２と、
−  前記第２の接着剤２６０を供給するための第２の接着剤供給手段６１３と、
−  前記第１の伸縮性糸５００および前記第２の伸縮性糸５０２を切断するための切断手段６０５、６０５’と、
を備える。
【００９６】
第１のウェブ供給手段６０１および第２のウェブ供給手段６０２は、第１の実施形態の装置について上述したとおりである。さらに、第３のウェブ供給手段６０７が、第１のウェブ供給手段６０１および第２のウェブ供給手段６０２について上述したとおりであってもよい。
【００９７】
第１のウェブ供給手段６０１、第２のウェブ供給手段６０２、および第３のウェブ供給手段６０７は、典型的には、第１のウェブ２００、第２のウェブ３００、または第３のウェブ７００（例えばロール）と、前記第１のウェブ２００、前記第２のウェブ３００、または前記第３のウェブ７００を流れ方向に送出するように構成された手段とを備える。ウェブ供給手段６０１、６０２、６０７はそれぞれ、シリンダ、ベルト、またはロッド引張り手段等々の任意の適切な組合せを個別に備えてもよい。第１のウェブ供給手段６０１および第３のウェブ供給手段６０７は、図２に図示されるように、第１のウェブ２００および第３のウェブ７００が平行に移動するように概して配置される。
【００９８】
第１の接着剤供給手段６１２は、前記第１のウェブ２００の第１の面２０１の少なくとも一部分に、または第２のウェブ３００の第１の面３０１の少なくとも一部分に、第１の接着剤２５０を塗布するように、配置される。
【００９９】
第２の接着剤供給手段６１３は、第３のウェブ７００の第１の面７０１の少なくとも一部分に、または第２のウェブ３００の第１の面３０１の少なくとも一部分に、第２の接着剤２６０を塗布するように、配置される。
【０１００】
第１の接着剤供給手段６１２および第２の接着剤供給手段６１３は、典型的には、スロットコータ、ローラ、スプレイヤ、または同様のものを備える。接着剤供給手段６１２、６１３は、例えばパターン（Ｐ）などで、必要に応じて各ウェブ２００、３００、７００に対して第１の接着剤２５０および第２の接着剤２６０を塗布することが可能となるように、交差方向に往復移動することが可能であってもよい。さらに、接着剤供給手段は、あるパターンで接着剤を塗布することが可能となるように、複数の横方向セクションに分割されてもよい。
【０１０１】
第１の伸縮性糸供給手段６１０は、前記第１のウェブ２００の前記第１の面２０１の少なくとも前記第１の接着剤２５０を備える部分の上に、または前記第２のウェブ３００の前記第１の面３０１の少なくとも前記第１の接着剤２５０を備える部分の上に、少なくとも１つの第１の伸縮性糸５００を適用するように配置される。少なくとも１つの第１の伸縮性糸５００は、交差方向（ＣＤ）に蛇行し、流れ方向（ＭＤ）に延在するパターン（Ｐ）で適用される。
【０１０２】
第２の伸縮性糸供給手段６１１は、前記第３のウェブ７００の前記第１の面７０１の少なくとも前記第２の接着剤２６０を備える部分の上に、または前記第２のウェブ３００の前記第１の面３０１の少なくとも前記第２の接着剤２６０を備える部分の上に、少なくとも１つの第２の伸縮性糸５０２を適用するように配置される。少なくとも１つの第２の伸縮性糸５０２は、交差方向（ＣＤ）に蛇行し、流れ方向（ＭＤ）に延在するパターン（Ｐ）で適用される。
【０１０３】
第１の伸縮性糸供給手段６１０および第２の伸縮性糸供給手段６１１は、ガイドフィンガを備えてもよく、交差方向に蛇行し得る長尺部材を備えてもよい。
【０１０４】
第２のウェブ供給手段６０２は、図１および図２に図示されるように、第１のウェブ２００の第１の面２０１の上および第３のウェブ７００の第１の面７０１の上に、第２のウェブ３００の第１の面３０１を適用するように配置される。前記少なくとも１つの第１の伸縮性糸５００が第１のウェブ２００および第２のウェブ３００のそれぞれの第１の面２０１、３０１間に部分的に挟まれ、前記少なくとも１つの第２の伸縮性糸５０２が第３のウェブ７００および第２のウェブ３００のそれぞれの第１の面７０１、３０１間に部分的に挟まれるように、第１のウェブ２００および第２のウェブ３００は、一体的に固定され、前記第３のウェブ７００および前記第２のウェブ３００は、一体的に固定される。ウェブ２００、３００、７００を一体的に固定するための方法および手段は、図１に関連して上記に示される。とりわけ、第１のウェブ２００および第３のウェブ７００の上に存在する第１の接着剤２５０および第２の接着剤２６０が、第２のウェブ３００にこれらのウェブを固定するために使用されてもよい。
【０１０５】
パターン（Ｐ１）は、前記第１のウェブ２００の前記第１の縁部２０３から交差方向ＣＤに突出する前記第１の伸縮性糸５００の第１のループ５０１を形成するために、第１のウェブ２００の第１の縁部２０３を越えて延在するように配置される。同様に、パターン（Ｐ２）は、前記第３のウェブ７００の前記第１の縁部７０３から交差方向（ＣＤ）に突出する前記第２の伸縮性糸５０２の第２のループ５０３を形成するために、第３のウェブ７００の第１の縁部７０３を越えて延在するように構成される。
【０１０６】
図１に図示されるように、第１のパターン（Ｐ１）および第２のパターン（Ｐ２）は、第１の伸縮性糸５００が第１のウェブ２００の第１の縁部２０３から最も遠くに位置する流れ方向（ＭＤ）上のポイントが、第２の伸縮性糸５０２が第３のウェブ７００の第１の縁部７０３から最も遠くに位置する流れ方向（ＭＤ）上のポイントに実質的に一致するように、同期される。
【０１０７】
切断手段６０５、６０５’は、第１のループ５０１が第１のウェブ２００から除去された状態になるように、実質的に各第１の伸縮性糸５００が前記第１のウェブ２００の第１の縁部２０３に交差するポイントにて全ての伸縮性糸５００を切断するように、および、第２のループ５０３が第３のウェブ７００から除去された状態になるように、実質的に各第２の伸縮性糸５０２が前記第３のウェブ７００の第１の縁部７０３に交差するポイントにて全ての伸縮性糸５０２を切断するように、配置される。切断は、第１のウェブ２００または第３のウェブ７００から第２のウェブ３００を完全には除去しないように、断続的であるべきである。すなわち切断は、伸縮性糸５００、５０２が配置されている箇所でのみ行われる。
【０１０８】
弾性部切断手段６０５、６０５’は、図１および図２においては回転円形ブレードとして図示されるが、他のタイプの切断手段が適切である場合がある（例えば固定ブレード、レーザ切断、超音波切断など）。上述のように、切断は、断続的であることが可能である。断続的切断は、伸縮性糸５００、５０２に向けた方向におよび伸縮性糸５００、５０２から離れる方向に断続的に移動される、回転円形ブレードまたは固定ブレードによって実施されてもよい。代替的には、断続的切断は、突起状切断部分およびくぼみ状非切断部分を有する回転ブレードによって実施されてもよい。断続的切断プロセスについては、実質的に伸縮性糸５００、５０２が存在するポイントでのみ切断が行われるように、切断動作が同期されることが重要である。さらに、伸縮性糸５００、５０２のみを切断し、いずれのウェブも切断しない回転ブレードを想定することが可能である。
【０１０９】
弾性部切断手段６０５は、実質的に各伸縮性糸５００が前記第１のウェブ２００の第１の縁部２０３に交差するポイントにて全ての第１の伸縮性糸５００を切断するように配置される。同様に、弾性部切断手段６０５’は、実質的に各第２の伸縮性糸５０２が前記第３のウェブ７００の第１の縁部７０３に交差するポイントにて全ての第２の伸縮性糸５０２を切断するように配置される。このようにして、ループ５０１、５０３は、第１のウェブ２００および第３のウェブ７００から除去された状態になる。
【０１１０】
装置６００は、第１のループ保持手段４１０を備える。第１のループ保持手段４１０は、少なくとも１つの弾性ベルト４０１および少なくとも１つのアンビル６２０を備える。第１のループ保持手段４１０は、前記第１のウェブ２００の第１の縁部２０３に隣接して配置され、前記第１のループ保持手段４１０内に第１のループ５０１を固定するように構成される。図１Ａにおいて最も良く図示されるように、第１のループ５０１は、弾性ベルト４０１とアンビル６２０との間に固定される。図示される実施形態においては、アンビル６２０は、シリンダ６２０を備えるが、他の構成も可能である。
【０１１１】
さらに、装置６００は、第２のループ保持手段４１１を備える。第２のループ保持手段４１１は、少なくとも１つの弾性ベルト４０３および少なくとも１つのアンビル６２０を備える。第２のループ保持手段４１１は、前記第３のウェブ７００の第１の縁部７０３に隣接して配置され、前記第２のループ保持手段４１１内に第２のループ５０３を固定するように構成される。第２のループ５０３は、図２に図示されるように、弾性ベルト４０３とアンビル６２０との間に保持される。
【０１１２】
適切には、第１のループ保持手段４１０および第２のループ保持手段４１１は、後の切断ステップ（または複数の切断ステップ）の実施を可能にするために、それぞれ第１のウェブ２００の第１の縁部２０３および第３のウェブ７００の第１の縁部７０３から離間される。
【０１１３】
ループ保持手段４１０、４１１を備える弾性ベルト４０１、４０２、４０３、４０４は、ゴムまたは任意の他の適切な弾性材料から作製されてもよい。適切なベルトは、スウェーデン国Ｂｒｏｍｍａ在のＡｂａｔｒｏｎ  ＡＢ社から、Ｃｏｒｒｅｘ、Ｂｅｉｇｅ、またはＰｏｌｙｔｈａｎ  Ｇｒｕｎの商標を有するものが入手可能である。さらに、適切なベルトは、スウェーデン国Ｈｉｎｄａｓ在のＨａｂａｓｉｔ  ＡＢ社から、Ｐｏｌｙｃｏｒｄ  Ｒ８の商標を有するものが入手可能である。弾性ベルト４０１、４０２、４０３、４０４は、典型的には、第１のウェブ２００の第１の縁部２０３から、または第３のウェブ７００の第１の縁部７０３から、０．５〜１０ｃｍの間の距離に配置される。
【０１１４】
アンビル６２０および弾性ベルトのさらなる詳細は、上述の方法について示したとおりである。
【０１１５】
本発明の一発展例においては、第１のループ保持手段４１０は、前記第１のウェブ２００の第１の縁部２０３に隣接して配置される少なくとも１つの第１の弾性ベルト４０１および少なくとも１つの第２の弾性ベルト４０２を備えてもよく、これらの弾性ベルトは、前記少なくとも１つの第１の弾性ベルト４０１と前記少なくとも１つの第２の弾性ベルト４０２との間のニップ４００内に第１の伸縮性糸５００の第１のループ５０１を固定するように構成される。同様に、第２のループ保持手段４１１は、前記第３のウェブ７００の第１の縁部７０３に隣接して配置される少なくとも１つの第３の弾性ベルト４０３および少なくとも１つの第４の弾性ベルト４０４を備えてもよく、これらの弾性ベルトは、前記少なくとも１つの第３の弾性ベルト４０３と前記少なくとも１つの第４の弾性ベルト４０４との間のニップ４００’内に第２の伸縮性糸５０２の第２のループ５０３を固定するように構成される。特に、単一の幅広弾性ベルトが、第３の弾性ベルト４０３および第１の弾性ベルト４０１を含んでもよく、単一の幅広弾性ベルトが、第４の弾性ベルト４０４および第２の弾性ベルト４０２を含む。様々な個数の弾性ベルト４０１、４０２、４０３、４０４の組合せを使用することができる。
【０１１６】
第１のループ５０１および第２のループ５０３は、弾性ベルト４０１、４０３の実質的に平坦な表面と中心シリンダ６２０との間に固定され、摩擦により定位置に保持される。実際に、複数のベルト４０１、４０２、４０３、４０４が存在する場合には、これらは全て、実質的に平坦な表面を有してもよい。
【０１１７】
しかしながら、弾性ベルト４０１、４０３は、一方の弾性ベルトがアンビル６２０（中心シリンダ６２０）内の１つまたは複数の凹部に係合するように輪郭形成されてもよい。各ループ保持手段４１０、４１１が、２つ以上の弾性ベルトを備える場合には、各ベルト４０１、４０２、４０３、４０４は、１つの弾性ベルトが、対向側の弾性ベルト内の１つまたは複数の凹部に係合するように輪郭形成されてもよい。この縦断面構成により、弾性ベルト間の緊密な接触が可能になり、伸縮性糸５００、５０２のループ５０１、５０３が弾性ベルト間にしっかりと固定されることが可能となる。当業者は、各弾性ベルトの縦断面を変更してもよい（例えば、対向側のシリンダまたはベルト内の２つの凹部に係合する１つのベルト上の２つの突出部、またはある断面（例えば円形、半円形、三角形等々）を有するベルトにより、それらがアンビル６２０または弾性ベルト内の凹部に係合することが可能となる）。凹部／突出部を有する代わりに、または凹部／突出部を有するのに加えて、ベルト４０１、４０２、４０３、４０４は、ループ５０１、５０３を固定的に把持する高摩擦表面を備えてもよい。
【０１１８】
図２に図示される実施形態においては、第１のウェブ２００、第２のウェブ３００、第３のウェブ７００、伸縮性糸５００、５０２、および弾性ベルト４０１、４０３が、単一のニップ４０内に共に配置され、それにより従来的なまたは効果的な態様でこれらの構成要素を共に固定する。
【０１１９】
さらに図２に図示されるように、第１のウェブ供給手段６０１、第２のウェブ供給手段６０２、第３のウェブ供給手段６０７、第１の伸縮性糸供給手段６１０、第２の伸縮性糸供給手段６１１、第１の接着剤供給手段６１２、第２の接着剤供給手段６１３、切断手段６０５、６０５’、少なくとも１つの第１の弾性ベルト４０１、少なくとも１つの第２の弾性ベルト４０２、少なくとも１つの第３の弾性ベルト４０３、および少なくとも１つの第４の弾性ベルト４０４が、単一の中心シリンダ６２０の中心として周囲に適切に配置される。しかしながら、これらの構成要素の他の配置も可能である（例えば線形など）。さらに、アンビル６２０は、２つ以上のシリンダから構成されてもよく、伸縮性ウェブ１４０は、これらのシリンダに押圧されて製造される。
【０１２０】
上述の装置６００は、この装置をパンツ式製品２０の製造に適したものとする追加の構成要素を備えてもよい。この場合、該装置６００は、図３に概略的に示され、
−  前記伸縮性ウェブ１４０を供給するための伸縮性ウェブ供給手段６２１と、
−  必要に応じて、吸収性パケット１３０を供給するための吸収性パケット供給手段６２２と、
−  脚部領域１２２を切除するための脚部領域切断手段６２３と、
−  伸縮性ウェブ１４０を折り畳むための折り畳み手段６２８と、
−  伸縮性ウェブ１４０を接合するための接合手段６２６と、
−  伸縮性ウェブ１４０を切断するための伸縮性ウェブ切断手段６２５と、
をさらに備える。
【０１２１】
伸縮性ウェブ供給手段６２１は、非連続伸縮性糸５１０、５１１を有する伸縮性ウェブ１４０を供給するために配置される。少なくとも１つの第１の非連続伸縮性糸５１０が、第１のウェブ２００および第２のウェブ３００のそれぞれの第１の面２０１、３０１間に挟まれ、少なくとも１つの第２の非連続伸縮性糸５１１が、第３のウェブ７００および第２のウェブ３００のそれぞれの第１の面７０１、３０１間に挟まれる。伸縮性ウェブ供給手段６２１は、図２に図示される装置から直接的に伸縮性ウェブ１４０を送出してもよいが、代替的には、伸縮性ウェブ１４０は、例えばロールなどの別の供給源から送出されてもよい。上述の第１のウェブ供給手段６０１と同様に、伸縮性ウェブ供給手段６２１は、典型的には、伸縮性ウェブ１４０の供給源（例えばロール）と、流れ方向に前記伸縮性ウェブ１４０を送出するように構成された手段とを備える。伸縮性ウェブ供給手段６２１は、シリンダ、ベルト、またはロッド等々の任意の適切な組合せを含んでもよい。伸縮性ウェブ供給手段６２１は、伸縮性糸５１０、５１１により引き起こされ得る、伸縮性ウェブ１４０の縁部１４３、１４４内の力を制御するための手段を備えてもよい。
【０１２２】
必要な場合には、第１のウェブ２００、第２のウェブ３００、および／または第３のウェブ７００の少なくとも一部分上に載置するように吸収性パケット１３０を配置するために、吸収性パケット供給手段６２２が配置される。次いで、吸収性パケット１３０は、前記第１のウェブ２００、前記第２のウェブ３００、および／または前記第３のウェブ７００の中の少なくとも１つに固定される。吸収性パケット１３０は、伸縮性ウェブ１４０の上に、好ましくは第１のウェブ２００および第３のウェブ７００を含む伸縮性ウェブ１４０の面の上に配置される。吸収性パケット１３０の詳細は、上述の中に示される。吸収性パケット１３０は、ウェブが折り畳まれる前の任意の時点に、伸縮性ウェブ１４０に適用される。吸収性パケット供給手段６２２は、典型的には、吸収性パケット１３０の供給源（例えばスタックまたはロール）と、第１のウェブ２００、第２のウェブ３００、および／または第３のウェブ７００の上に吸収性パケット１３０を送出するように配置されたシリンダ、ベルト、ロッド、または同様のもの任意の適切な組合せとを備える。吸収性パケット１３０は、少なくとも第２のウェブ３００に固定されると適切である。吸収性パケット１３０の固定は、例えば熱溶着、超音波溶着、または接着などの任意の既知の方法を利用して実施することができる。接着が、最も好ましく、第１の接着剤２５０として使用されるものなどの任意の適切な接着剤を使用することができる。
【０１２３】
脚部領域切断手段６２３は、第１のウェブ２００および第３のウェブ７００の非連続伸縮性糸５１０、５１１間に実質的に画定される伸縮性ウェブ１４０の領域を切除して、脚部用開口１２１を形成するように配置される。当業者は、伸縮性ウェブ１４０中の脚部用開口１２１に対して適切なサイズ、位置、および形状を選択することが可能となる。脚部領域切断手段６２３は、機械的手段（例えばブレードもしくはパンチ）、またはレーザ切断手段、超音波切断手段、もしくは熱切断手段などの他の切断手段を備えてもよい。脚部領域切断手段６２３は、該装置６００内の吸収性パケット供給手段６２２の前または後に配置されてもよい。同様に、脚部領域切断手段６２３は、折り畳み手段６２８の前または後に配置されてもよい。
【０１２４】
折り畳み手段６２８は、折り畳み線（Ｆ）に沿って伸縮性ウェブ１４０を折り畳むために配置される。折り畳み線（Ｆ）は、伸縮性ウェブ１４０の流れ方向に延在する。伸縮性ウェブ１４０の第１の縁部１４３および第２の縁部１４４は、互いに実質的に隣接し合うように、および実質的に平行に配置される。第２のウェブ３００は好ましくは、折り畳まれたものの外側に位置するが、折り畳まれたものの内側に位置してもよい。吸収性パケット１３０が存在する場合には、このパケットは、折り畳まれたものの内側に位置する。折り畳み手段６１７は、往復動部材もしくは回転部材（例えばアームもしくはドラム）、ウェブガイド（例えば金属シートもしくはロッド）、またはベルト等々の任意の適切な組合せを備えてもよい。接合手段６２６は、線Ｃに沿って折り畳まれた伸縮性ウェブ１４０を接合するように配置される。線Ｃは、伸縮性ウェブ１４０の第１の縁部１４３および第２のウェブ１４４から折り畳み線Ｆまで実質的に交差方向ＣＤに延在し、前記線Ｃは、実質的に、非連続伸縮性糸５１０、５１１が折り畳み線Ｆから最も遠くに位置するポイントに位置する。線Ｃに沿った接合により、パンツ式製品のサイドシーム１３１が形成される。接合は、接着、熱溶着もしくは超音波溶着、または当技術で既知の任意の一般的な方法によって実施される。
【０１２５】
伸縮性ウェブ切断手段６２５は、伸縮性ウェブ１４０が切断部の両側において接合された状態に留まるように、線（Ｃ）に沿って伸縮性ウェブ１４０を切断するように配置される。このようにして、個々のパンツ式製品２０が、伸縮性ウェブ１４０から分離される。
【０１２６】
第１の実施形態に関連して上述したように、本発明のパンツ式製品２０は、腰部弾性部１３５、胴部弾性部１３７、および立体ギャザー１３６などの追加の構成要素を備えてもよい。そのような構成要素を適用するための適切な方法および手段は、当業者には理解されるであろう。
【０１２７】
さらに、本発明は、伸縮性ウェブ１４０から開放式おむつの形態の吸収性製品１０を製造するための装置を提供する。
【０１２８】
この場合、装置６００は、
−  前記伸縮性ウェブ１４０を供給するための伸縮性ウェブ供給手段６２１と、
−  吸収性パケット１３０を供給するための吸収性パケット供給手段６２２と、
−  脚部領域１２２を切除するための脚部領域切断手段６２３と、
−  伸縮性ウェブ１４０を切断するための伸縮性ウェブ切断手段６２５と、
−  固定手段１３２を供給するための固定供給手段６２７と、
をさらに備える。
【０１２９】
これらの構成要素の詳細は、上述の図３に関連して説明されるものと同一である。
【０１３０】
前述のように、伸縮性ウェブ供給手段６２１は、非連続伸縮性糸５１０、５１１を有する伸縮性ウェブ１４０を供給するように配置される。少なくとも１つの非連続伸縮性糸５１０が、第１のウェブ２００および第２のウェブ３００のそれぞれの第１の面２０１、３０１間に挟まれ、少なくとも１つの第２の非連続伸縮性糸５１１が、第３のウェブ７００および第２のウェブ３００のそれぞれの第１の面７０１、３０１間に挟まれる。
【０１３１】
（オプションの）吸収性パケット供給手段６２２は、第１のウェブ２００、第２のウェブ３００、および／または第３のウェブ７００の少なくとも一部分上に載置するように吸収性パケット１３０を配置するように、および前記第１のウェブ２００、前記第２のウェブ３００および前記第３のウェブ７００の中の少なくとも１つに前記吸収性パケット１３０を固定するように、配置される。
【０１３２】
脚部領域切断手段６２３は、第１のウェブ２００および第３のウェブ７００の非連続伸縮性糸５１０、５１１間に実質的に画定される伸縮性ウェブ１４０の領域を切除して、脚部用開口１２１を形成するために配置される。伸縮性ウェブ切断手段６２５は、線Ｃに沿って伸縮性ウェブ１４０を切断するように配置され、前記線（Ｃ）は、伸縮性ウェブ１４０の第１の縁部１４３から第２の縁部１４４まで実質的に交差方向（ＣＤ）に延在し、実質的に非連続伸縮性糸５１０、５１１が第１のウェブ２００および第３のウェブ７００の第１の縁部２０３、７０３から最も遠くに離れて位置するポイントに位置する。固定供給手段６２７は、前記伸縮性ウェブ１４０の上に固定手段１３２を設けるために配置される。この固定手段１３２は適切には、吸収性製品１０の外側面上に配置される。固定供給手段６２７は、固定手段３１２の供給源（例えばロールまたはスタック）と、作製されつつある吸収性製品１０にこれらの固定手段を送出するための手段（例えばニップ、シリンダ、またはベルト）と、製品１０に固定手段１３２を接合するための手段とを備える。固定手段１３２は、溶着または膠接合により吸収性製品１０に接合されてもよい。固定手段１３２は、上記においてより詳細に論じられる。
【０１３３】
上述のように、本発明のパンツ式製品２０は、腰部弾性部１３５、胴部弾性部１３７、および立体ギャザー１３６などの追加の構成要素を備えてもよい。そのような構成要素を適用するための適切な方法および手段は、当業者には理解されよう。
【０１３４】
本明細書において説明される方法により作製される種々のパンツ式製品２０が、図５〜図８に図示される。図５Ａ〜図８Ａは、各場合において長手方向中心線（Ａ−Ａ）に沿って見た図５〜図８の斜視図の拡大断面図である。
【０１３５】
図５〜図８に図示されるパンツ式製品２０はそれぞれ、前方パネル１５０および後方パネル１６０を備える。前方パネルは、この製品の使用時に着用者の鼠蹊部および／または下腹部の少なくとも一部分を覆うように意図された製品１０の部分である。後方パネルは、この製品の使用時に着用者の臀部および／または背下部の少なくとも一部分を覆うように意図された製品２０の部分である。
【０１３６】
さらに、図示されるパンツ式製品２０はまた、前方パネル１５０と後方パネル１６０との間で、パンツ式製品２０の長手方向（Ｌ）において延在し、前記前方パネル１５０および前記後方パネル１６０に接合される、股パネル１８１を備える。股パネル１８１は、この製品の使用時に着用者の実質的に脚部同士の間に位置する製品１０の部分である。
【０１３７】
股パネル１８１は、股層１８０および／または吸収性パケット１３０を備える。図７〜図８のパンツ式製品は、股層１８０および吸収性パケット１３０の種々の組合せを含む。吸収性パケット１３０は、上述のとおりであり、１つまたは複数のカバー層１３４により覆われた吸収性芯材１３３を一般的に備える。
【０１３８】
図５〜図８のパンツ式製品２０の前方パネル１５０および後方パネル１６０は、それらの横軸方向縁部に位置するサイドシーム１３１にて互いに接合される。
【０１３９】
図５〜図８に図示されるように、ならびに図５Ａ、図６Ａ、図７Ａ、および図８Ａにさらに明確に図示されるように、各具現化されたパンツ式製品２０の少なくとも前方パネル１５０が、第１の前方層１５１と、第２の前方層１５２と、前記第１の前方層１５１と前記第２の前方層１５２との間に配置される少なくとも２つの第１の脚部弾性部１５３とを備える。第１の前方層１５１は、上述の方法において使用される第１のウェブ２００に相当し、したがって、第１のウェブ２００に適した任意の材料を含んでもよい。第２の前方層１５２は、上述の方法において使用される第２のウェブ３００に相当し、したがって、第２のウェブ３００に適した任意の材料を含んでもよい。
【０１４０】
少なくとも２つの第１の脚部弾性部１５３は、パンツ式製品２０の長手方向中心線（Ｌ１）の両側に対称的に配置される。第１の脚部弾性部１５３は、着用者の脚部に対して脚部用開口１２１をシールするように構成される。第１の脚部弾性部１５３は、上述の方法における第１の非連続伸縮性糸５１０に相当し、したがって、そのような意図に適した任意の材料を含んでもよい。少なくとも２つの第１の脚部弾性部１５３は、パンツ式製品２０の長手方向中心線（Ｌ１）の両側に配置される。
【０１４１】
第１の前方層１５１は、実質的にパンツ式製品２０の横軸方向（Ｔ）に延在する第１の縁部１５４および第２の縁部１５５によって画定される。第１の前方層１５１のこれらの第１の縁部１５４および第２の縁部１５５は、本発明の方法において使用される第１のウェブ２００の第１の縁部２０３および第２の縁部２０４に相当する。第１の縁部１５４は、パンツ式製品２０の股パネル１８１の最も近くに位置する縁部である。
【０１４２】
さらに、図５〜図８のパンツ式製品２０の後方パネル１５０は、第１の後方層１６１と、第２の後方層１６２と、前記第１の後方層１６１と前記第２の後方層１６２との間に配置された少なくとも２つの第２の脚部弾性部１６３とを備える。少なくとも２つの第２の脚部弾性部１６３は、パンツ式製品２０の長手方向中心線（Ｌ１）の両側に配置される。
【０１４３】
第１の後方層１６１は、上述の方法において使用される第３のウェブ７００に相当し、したがって、第３のウェブ７００に適した任意の材料を含んでもよい。第２の後方層１６２は、上述の方法において使用される第２のウェブ３００に相当し、したがって、第２のウェブ３００に適した任意の材料を含んでもよい。
【０１４４】
第２の脚部弾性部１６３は、上述の方法における第２の非連続伸縮性糸５１１に相当し、したがって、そのような意図に適した任意の材料を含んでもよい。
【０１４５】
図５〜図８は、伸縮性糸１５３、１６３の対を有するパンツ式製品２０を示すが、さらに少数または多数の伸縮性糸１５３、１６３を備えることも考えられる。特に、後方パネル１６０内にさらに多数の伸縮性糸１６３を有することは、有益である。
【０１４６】
第１の後方層１６１は、実質的にパンツ式製品２０の横軸方向（Ｔ）に延在する第１の縁部１６４および第２の縁部１６５によって画定される。第１の後方層１６１のこれらの第１の縁部１６４および第２の縁部１６５は、本発明の方法において使用される第３のウェブ７００の第１の縁部７０３および第２のウェブ７０４に相当する。第１の縁部１６４は、パンツ式製品２０の股パネル１８１に最も近くに位置する縁部である。
【０１４７】
図５〜図８の全てのパンツ式製品２０に共通することは、前方パネル１５０内の第１の脚部弾性部１５３が、前記第１の前方層１５１の第１の縁部１５４に合流するポイントにて終端すること、および、前記後方パネル１６０内の第２の脚部弾性部１６３が、前記第１の後方層１６１の第１の縁部１６４に合流するポイントにて終端することである。典型的には、脚部弾性部１５３、１６３は、第１の前方層１５１または第１の後方層１６１の第１の縁部１５４から、製品２０のサイドシーム１３１に向けて延在する。脚部弾性部１５３、１６３は、典型的には曲線状である。
【０１４８】
適切には、脚部弾性部１５３、１６３は、吸収性パケット１３０に全く重複しない。したがって、少なくとも２つの第１の脚部弾性部１５３および前記少なくとも２つの第２の脚部弾性部１６３が、パンツ式製品２０の吸収性パケット１３０の両側に横軸方向（Ｔ）に配置されることが好ましい。
【０１４９】
図５および図５Ａは、吸収性パケット１３０を備えない単一の第２の層１７０を有するパンツ式製品２０を示し、単一の第２の層１７０は、この製品の外側に面して位置する。図６および図６Ａは、吸収性パケット１３０を備えない単一の第２の層１７０を有するパンツ式製品２０を示し、単一の第２の層１７０は、この製品の内側に面して位置する。図５の製品または図６の製品のいずれが作製されるかは、パンツ式製品２０の製造の際に伸縮性ウェブ１４０が折り畳まれる方式により決定される。
【０１５０】
図７および図７Ａは、単一の第２の層１７０を有するパンツ式製品２０を示し、これは、吸収性パケット１３０を備え、単一の第２の層１７０は、この製品の外側に面して位置する。図８および図８Ａは、単一の第２の層１７０を有するパンツ式製品２０を示し、これは、吸収性パケット１３０を備え、単一の第２の層１７０は、この製品の内側に面して位置する。図７の製品または図８の製品のいずれが作製されるかは、製造の際にいずれの面において吸収性パケット１３０が伸縮性ウェブ１４０に適用されるかにより決定される。
【０１５１】
本発明のパンツ式製品２０は、腰部弾性部１３５、胴部弾性部１３７、および立体ギャザー１３６などの追加の構成要素を備えてもよい。
【０１５２】
図９および図１０は、開放式おむつの形態の吸収性製品１０を示す。図９Ａおよび図１０Ａは、図９および図１０のぞれぞれの長手方向中心線（Ａ−Ａ）に沿った断面図である。
【０１５３】
図示される吸収性製品１０は、図示されるように、長手方向（Ｌ）および横軸方向（Ｔ）に延在する。
【０１５４】
図９〜図１０に図示される吸収性製品１０はそれぞれ、前方パネル１５０、後方パネル１６０、および吸収性パケット１３０を備える。さらに、各製品が、股パネル１８１を備える。股パネル１８１は、前方パネル１５０と後方パネル１６０との間で、吸収性製品１０の長手方向（Ｌ）に延在し、前方パネル１５０および後方パネル１６０に接合される。股パネル１８１は、吸収性パケット１３０、および任意に股層１８０を備える。
【０１５５】
前記前方パネル１５０および前記後方パネル１６０の少なくとも一方が、固定手段１３２を備える。適切な固定手段１３２、およびそれらを適用するための手段および方法は、上記において説明される。
【０１５６】
少なくとも前方パネル１５０は、第１の前方層１５１と、第２の前方層１５２と、前記第１の前方層１５１と前記第２の前方層１５２との間に配置された少なくとも２つの第１の脚部弾性部１５３とを備える。少なくとも２つの第１の脚部弾性部１５３は、吸収性製品１０の長手方向中心線Ｌ１の両側に配置される。
【０１５７】
第１の前方層１５１は、吸収性製品１０の横軸方向Ｔに実質的に延在する第１の縁部１５４および第２の縁部１５５により画定される。第１の縁部１５４は、吸収性製品１０の股パネル１８１の最も近くに位置する縁部である。
【０１５８】
さらに、後方パネル１６０は、第１の後方層１６１と、第２の後方層１６２と、前記第１の後方層１６１と前記第２の後方層１６２との間に配置された少なくとも２つの第２の脚部弾性部１６３とを備える。少なくとも２つの第２の脚部弾性部１６３は、吸収性製品１０の長手方向中心線Ｌ１の両側に配置される。
【０１５９】
図９〜図１０は、伸縮性糸１５３、１６３の対を有する吸収性製品１０を図示するが、さらに少数または多数の伸縮性糸１５３、１６３を備えることも考えられる。特に、後方パネル１６０内にさらに多数の伸縮性糸１６３を有することは、有益である。
【０１６０】
第１の後方層１６１は、実質的に吸収性製品１０の横軸方向Ｔに延在する第１の縁部１６４および第２の縁部１６５により画定される。第１の縁部１６４は、吸収性製品１０の股パネル１８１の最も近くに位置する縁部である。
【０１６１】
層１５１、１５２、１６１、１６２、吸収性パケット１３０、および弾性部１５３、１６３に適する材料は、本発明のパンツ式製品２０に関する上記において示される。
【０１６２】
図９〜図１０に図示されるように、前方パネル１５０内の第１の脚部弾性部１５３は、前記第１の前方層１５１の第１の縁部１５４に合流するポイントにて終端する一方、後方パネル１６０内の第２の脚部弾性部１６３は、第１の後方層１６１の第１の縁部１６４に合流するポイントにて終端する。
【０１６３】
適切には、脚部弾性部１５３、１６３は、吸収性パケット１３０に全く重複しない。したがって、少なくとも２つの第１の脚部弾性部１５３および前記少なくとも２つの第２の脚部弾性部１６３が、吸収性製品１０の吸収性パケット１３０の両側で横軸方向（Ｔ）に配置されることは、好ましい。
【０１６４】
図９および図１０に図示される製品においては、単一の第２の層１７０が、第２の前方層１５２、第２の後方層１６２、および股層１８０を備える。したがって、単一の第２の層１７０は、上述の方法の第２のウェブ３００から得られる一方、第１の前方層１５１および第１の後方層１６１は、上述の方法の第１のウェブ２００および第２のウェブ３００から得られる。
【０１６５】
図９は、製造の際に第１のウェブ２００および第３のウェブ７００の上に吸収性パケット１３０が配置される、吸収性製品１０を示す。したがって、第２のウェブ３００（＝単一の第２の層１７０）は、吸収性パケット１３０の対向側の吸収性製品１０の面の上に位置する。この構成により、単一の第２の層１７０／第２のウェブ３００から構成される連続外方面を有する吸収性製品１０が得られる。
【０１６６】
図１０は、製造の際に第２のウェブ３００の上に吸収性パケット１３０が配置される吸収性製品１０を示す。したがって、第２のウェブ３００（＝単一の第２の層１７０）は、吸収性パケット１３０と同一の吸収性製品１０の面の上に位置する。
【０１６７】
図９Ａは、図９の線ＩＸＡ−ＩＸＡに沿った、すなわち吸収性製品１０の長さに沿って吸収性製品１０を貫通する拡大断面図である。図１０Ａは、図１０の線ＸＡ−ＸＡに沿った、すなわち吸収性製品１０の長さに沿って吸収性製品１０を貫通する拡大断面図である。
【０１６８】
本発明の吸収性製品１０は、腰部弾性部１３５、胴部弾性部１３７、および立体ギャザー１３６などのつ以下の構成要素を備えてもよい。
【０１６９】
複数の実施形態を参照として本発明を説明した。しかし、本発明の範囲は、図示され説明された実施形態に限定されるものとして解釈されるべきではない。むしろ、特許請求の範囲に依然として留まりつつ、いくつかの実施形態からの特徴が、他の実施形態からの特徴と任意に組み合わされ得る。本発明の範囲は、添付の特許請求の範囲により決定されるべきである。
【符号の説明】
【０１７０】
１０  開放式おむつの形態の吸収性製品
２０  パンツ式製品
１００  伸縮性ウェブ
１２１  脚部用開口
１２２  脚部領域
１３０  吸収性パケット
１３１  サイドシーム
１３２  固定手段
１３３  吸収性芯材
１３４  カバー層
１３５  腰部弾性部
１３６  立体ギャザー
１３７  胴部弾性部
１４０  第２の実施形態の伸縮性ウェブ
１４３  第１の縁部
１４４  第２の縁部
１５０  前方パネル
１５１  第１の前方層
１５２  第２の前方層
１５３  第１の脚部弾性部
１５４  第１の縁部
１５５  第２の縁部
１６０  後方パネル
１６１  第１の後方層
１６２  第２の後方層
１６３  第２の脚部弾性部
１６４  第１の縁部
１６５  第２の縁部
１７０  単一の第２の層
１８０  股層
１８１  股パネル
２００  第１のウェブ
２０１  第１の面
２０２  第２の面
２０３  第１の縁部
２０４  第２の縁部
２５０  第１の接着剤
２６０  第２の接着剤
３００  第２のウェブ
３０１  第１の面
３０２  第２の面
３０３  第１の縁部
３０４  第２の縁部
４００  ニップ
４００’  ニップ
４０１  第１の弾性ベルト
４０２  第２の弾性ベルト
４０３  第３の弾性ベルト
４０４  第４の弾性ベルト
５００  伸縮性糸
５０１  第１のループ
５０２  伸縮性糸
５０３  第２のループ
５１０  非連続伸縮性糸
５１１  非連続伸縮性糸
５２０  ループ
５２１  ループ
６００  装置
６０１  第１のウェブ供給手段
６０２  第２のウェブ供給手段
６０５  切断手段
６０５’  切断手段
６０７  第３のウェブ供給手段
６１０  第１の伸縮性糸供給手段
６１１  第２の伸縮性糸供給手段
６１２  第１の接着剤供給手段
６１３  第２の接着剤供給手段
６２０  アンビル
６２３  脚部領域切断手段
６２５  伸縮性ウェブ切断手段
６２６  接合手段
６２８  折り畳み手段
６３０  バキューム手段
７００  第３のウェブ
７０１  第１の面
７０２  第２の面
７０３  第１の縁部
７０４  第２の縁部
Ｐ１  第１のパターン
Ｐ２  第２のパターン
Ｒ１  第１のパターン
Ｒ２  第２のパターン
ＣＤ  交差方向
ＭＤ  流れ方向
Ｆ  折り畳み線
Ｃ  線
【図１】
0005706396.tif 000002
【図１Ａ】
0005706396.tif 000003
【図１Ｂ】
0005706396.tif 000004
【図２】
0005706396.tif 000005
【図３】
0005706396.tif 000006
【図４】
0005706396.tif 000007
【図５】
0005706396.tif 000008
【図５Ａ】
0005706396.tif 000009
【図６】
0005706396.tif 000010
【図６Ａ】
0005706396.tif 000011
【図７】
0005706396.tif 000012
【図７Ａ】
0005706396.tif 000013
【図８】
0005706396.tif 000014
【図８Ａ】
0005706396.tif 000015
【図９】
0005706396.tif 000016
【図９Ａ】
0005706396.tif 000017
【図１０】
0005706396.tif 000018
【図１０Ａ】
0005706396.tif 000019